(57)【要約】  スライドファスナー（１００）のファスナーエレメント（２０）は、先端部（２２）と基部（２１）の間で屈曲又は湾曲した部分を含む中間部（２３）を有する。中間部（２３）は、スライダー（４０）の移動方向に合致する軸線（ＣＬ）上で突出した係合凸部（２４）と凹んだ被係合凹部（２５）を有する。軸線（ＣＬ）に直交する直交方向において軸線（ＣＬ）から先端部（２２）の先端面（２２ｍ）までの第１距離（Ｌ１）が、軸線（ＣＬ）から基部（２１）の基端面（２１ｍ）までの第２距離（Ｌ２）未満である。
2018212304.tif 000002
【特許請求の範囲】
【請求項１】
一対のファスナーストリンガー（１０）にして、各ファスナーストリンガー（１０）が、ファスナーテープ（１５）と、前記ファスナーテープ（１５）に取り付けられた複数のファスナーエレメント（２０）を備え、各ファスナーエレメント（２０）が、前記ファスナーテープ（１５）に固定された基部（２１）と、前記基部（２１）の反対側に位置する先端部（２２）を有する、一対のファスナーストリンガー（１０）と、
前記一対のファスナーストリンガー（１０）を開閉するための少なくとも一つのスライダー（４０）にして、上翼板（４１）と、下翼板（４２）と、前記上翼板（４１）と下翼板（４２）を連結し、前記ファスナーエレメント（２０）の先端部（２２）の先端面（２２ｍ）が対面又は接触する連結柱（４３）と、前記上翼板（４１）及び下翼板（４２）の少なくとも一方に設けられ、前記ファスナーエレメント（２０）の基部（２１）の基端面（２１ｍ）が対面又は接触するフランジ部（４４）を備える、スライダー（４０）を備えるスライドファスナー（１００）であって、
前記ファスナーエレメント（２０）は、前記先端部（２２）と前記基部（２１）の間で屈曲又は湾曲した部分を含む中間部（２３）を有し、
前記中間部（２３）は、前記スライダー（４０）の移動方向に合致する軸線（ＣＬ）上で突出した係合凸部（２４）と凹んだ被係合凹部（２５）を有し、
前記軸線（ＣＬ）に直交する直交方向において前記軸線（ＣＬ）から前記先端部（２２）の先端面（２２ｍ）までの第１距離（Ｌ１）が、前記軸線（ＣＬ）から前記基部（２１）の基端面（２１ｍ）までの第２距離（Ｌ２）未満である、スライドファスナー。
【請求項２】
前記係合凸部（２４）は、前記軸線（ＣＬ）上に位置する角部を含み、前記被係合凹部（２５）は、前記軸線（ＣＬ）上に位置し、前記角部と相補的な形状を有する溝を含む、請求項１に記載のスライドファスナー。
【請求項３】
前記ファスナーエレメント（２０）は、結合相手のファスナーエレメント（２０）の上下方向に沿う変位を阻止する少なくとも１つの変位規制部（３０）を有する、請求項１又は２に記載のスライドファスナー。
【請求項４】
前記変位規制部（３０）は、前記係合凸部（２４）と前記基部（２１）の間の空間を少なくとも部分的に埋める態様で設けられる、請求項３に記載のスライドファスナー。
【請求項５】
前記ファスナーエレメント（２０）の先端部（２２）には、前記被係合凹部（２５）が凹む方向とは反対方向に突出した第１小突起（３１）が設けられる、請求項１乃至４のいずれか一項に記載のスライドファスナー。
【請求項６】
前記ファスナーエレメント（２０）の先端部（２２）には、前記係合凸部（２４）と同じ方向に前記係合凸部（２４）よりも小さい突出量で突出した第２小突起（３２）が設けられる、請求項１乃至５のいずれか一項に記載のスライドファスナー。
【請求項７】
前記ファスナーエレメント（２０）は、前記スライダー（４０）の停止爪（４５）が係止可能である停止壁（３３）を有し、前記係合凸部（２４）が前記停止壁（３３）から突出する、請求項１乃至６のいずれか一項に記載のスライドファスナー。
【請求項８】
前記基部（２１）は、前記一対のファスナーストリンガー（１０）の横引き時、前記係合凸部（２４）と前記被係合凹部（２５）の係合に応じて生じる回転モーメントを低減する反対向きの回転モーメントが生じるように構成される、請求項１乃至７のいずれか一項に記載のスライドファスナー。
【請求項９】
前記基部（２１）は、前記ファスナーテープ（１５）の芯紐（１７）まで到達する少なくとも１つの切り欠き部又は孔（５３）を有する、請求項８に記載のスライドファスナー。
【請求項１０】
前記基部（２１）は、前記被係合凹部（２５）側に設けられた第１脚部（５１）と前記係合凸部（２４）側に設けられた第２脚部（５２）を有し、前記第１脚部（５１）と前記ファスナーテープ（１５）の接触面積は、前記第２脚部（５２）と前記ファスナーテープ（１５）の接触面積よりも大きい、請求項８又は９に記載のスライドファスナー。
【請求項１１】
前記ファスナーエレメント（２０）の先端部（２２）は、前記軸線（ＣＬ）に沿って後方に向けて幅狭になるテーパー部（３７）を有する、請求項１乃至１０のいずれか一項に記載のスライドファスナー。
【請求項１２】
前記ファスナーエレメント（２０）は、前記係合凸部（２４）と前記基部（２１）の間で凹んだ第１凹部（２９）を有する、請求項１乃至１１のいずれか一項に記載のスライドファスナー。
【請求項１３】
前記ファスナーエレメント（２０）は、前記被係合凹部（２５）と前記基部（２１）の間で凹んだ第２凹部（３９）を有する、請求項１乃至１２のいずれか一項に記載のスライドファスナー。
【請求項１４】
前記第１距離（Ｌ１）をＰとし、前記第２距離（Ｌ２）をＱとする時、
０．３９＜Ｐ／Ｑ＜０．７４を満足する、請求項１乃至１３のいずれか一項に記載のスライドファスナー。
【請求項１５】
前記一対のファスナーストリンガー（１０）において結合した一方のファスナーエレメント（２０）の基部（２１）の基端面（２１ｍ）と他方のファスナーエレメント（２０）の基部（２１）の基端面（２１ｍ）の前記直交方向における間隔（Ｗ１０）をＴとする時、０．３０＜２Ｐ／Ｔ＜０．７０を満足する、請求項１４に記載のスライドファスナー。
【請求項１６】
前記係合凸部（２４）の突出の程度と、前記被係合凹部（２５）の凹みの程度は相補的である、請求項１乃至１５のいずれか一項に記載のスライドファスナー。
【請求項１７】
前記ファスナーエレメント（２０）は、前記被係合凹部（２５）と反対側であり、前記係合凸部（２４）と同じ側において凹んだ第１凹部（２９）を有する、請求項１乃至１６のいずれか一項に記載のスライドファスナー。
【請求項１８】
前記ファスナーエレメント（２０）は、第１及び第２棒部（２７，２８）を含み、
前記第１棒部（２７）と前記第２棒部（２８）のなす角θが、
１２０°＜θ＜１４０°
を満足する、請求項１乃至１７のいずれか一項に記載のスライドファスナー。
【請求項１９】
前記係合凸部（２４）の頂点は、前記基部（２１）の最大幅（Ｗ１）の範囲外に位置し、
前記被係合凹部（２５）の底点は、前記基部（２１）の最大幅（Ｗ１）の範囲内に位置する、請求項１に記載のスライドファスナー。
【請求項２０】
前記先端部（２２）の少なくとも一部は、前記基部（２１）の最大幅（Ｗ１）の範囲内に位置する、請求項１に記載のスライドファスナー。
【請求項２１】
前記ファスナーエレメント（２０）の前記先端部（２２）には、前記一対のファスナーストリンガー（１０）が結合する時、結合相手のファスナーストリンガー（１０）のファスナーテープ（１５）の芯紐（１７）が収容される凹状の収容部（２６）が設けられる、請求項１に記載のスライドファスナー。
【請求項２２】
前記軸線（ＣＬ）に平行な方向において、前記基部（２１）の最大幅（Ｗ１）が、前記先端部（２２）の最小幅（Ｗ２）よりも大きい、請求項１に記載のスライドファスナー。
【請求項２３】
前記軸線（ＣＬ）に平行な方向において、前記基部（２１）の最大幅（Ｗ１）をＲとし、同一のファスナーテープ（１５）上で隣接する前記ファスナーエレメント（２０）の基部（２１）の最小間隔（Ｗ３）をＳとする時、
０．６２＜Ｒ／（Ｒ＋Ｓ）＜０．８３
を満足する、請求項１に記載のスライドファスナー。
【請求項２４】
前記軸線（ＣＬ）に沿う前記スライダー（４０）の移動方向を前後方向とし、前記スライダー（４０）の前進により前記一対のファスナーストリンガー（１０）が閉じられ、前記スライダー（４０）の後進により前記一対のファスナーストリンガー（１０）が開けられる、請求項１乃至２３のいずれか一項に記載のスライドファスナーであって、
前記ファスナーエレメント（２０）は、前記被係合凹部（２５）と反対側であり、前記係合凸部（２４）と同じ側において凹んだ第１凹部（２９）を有し、
前記前後方向において、前記係合凸部（２４）の頂点位置（Ａ）と前記第１凹部（２９）の底位置（Ｄ）の間隔（Ｗ４）が、前記先端部（２２）の最も後方に位置する点（Ｂ）と前記被係合凹部（２５）の底位置（Ｃ）の間隔（Ｗ５）に実質的に等しい、スライドファスナー。
【請求項２５】
左右一対のファスナーストリンガー（１０）にして、各ファスナーストリンガー（１０）が、ファスナーテープ（１５）と、ファスナーテープ（１５）に取り付けられた複数のファスナーエレメント（２０）を備え、各ファスナーエレメント（２０）が、ファスナーテープ（１５）に固定された基部（２１）と、基部（２１）の反対側に位置する先端部（２２）を有する、左右一対のファスナーストリンガー（１０）と、
左右一対のファスナーストリンガー（１０）を開けるために前進し、また左右一対のファスナーストリンガー（１０）を閉じるために後進する少なくとも一つのスライダー（４０）を備えるスライドファスナー（１００）であって、
左側及び右側それぞれのファスナーエレメント（２０）は、ファスナーエレメント（２０）の前側に係合凸部（２４）と、ファスナーエレメント（２０）の後側に被係合凹部（２５）を有するように屈曲又は湾曲し、
左右一方側のファスナーエレメント（２０）の係合凸部（２４）と基部（２１）の間には、左右他方側のファスナーエレメント（２０）に設けられた後方に突出した第１小突起（３１）を受け入れるための第１凹部（２９）が設けられ、
左側及び右側それぞれのファスナーエレメント（２０）において、第１小突起（３１）よりも係合凸部（２４）が左右方向において基部（２１）寄りにシフトして設けられ、第１凹部（２９）が被係合凹部（２５）よりも左右方向において基部（２１）寄りにシフトして設けられる、スライドファスナー。
【請求項２６】
ファスナーエレメント（２０）は、先端部（２２）と基部（２１）の間で屈曲又は湾曲した部分を含む中間部（２３）を有し、この中間部（２３）に前述の係合凸部（２４）と被係合凹部（２５）が設けられる、請求項２５に記載のスライドファスナー。
【請求項２７】
左側及び右側のファスナーエレメント（２０）が結合する時、左側及び右側それぞれのファスナーエレメント（２０）の係合凸部（２４）と被係合凹部（２５）が同一軸線（ＣＬ）上に配置され、左側及び右側それぞれのファスナーエレメント（２０）の第１小突起（３１）と第１凹部（２９）が同一軸線（ＡＸ，Ｘ１２）上に配置される、請求項２５又は２６に記載のスライドファスナー。
【請求項２８】
第１小突起（３１）は、ファスナーエレメント（２０）の先端部（２２）に設けられる、請求項２５乃至２７のいずれか一項に記載のスライドファスナー。
【請求項２９】
係合凸部（２４）は、軸線（ＣＬ）上に位置する角部を含み、被係合凹部（２５）は、軸線（ＣＬ）上に位置し、角部と相補的な形状を有する溝を含む、請求項２５乃至２８のいずれか一項に記載のスライドファスナー。
【請求項３０】
左右一方側のファスナーエレメント（２０）は、左右他方側のファスナーエレメント（２０）の上下方向に沿う変位を阻止する少なくとも１つの変位規制部（３０）を有する、請求項２５乃至２９のいずれか一項に記載のスライドファスナー。
【請求項３１】
ファスナーエレメント（２０）の先端部（２２）には、係合凸部（２４）と同じ方向に係合凸部（２４）よりも小さい突出量で突出した第２小突起（３２）が設けられる、請求項２５乃至３０のいずれか一項に記載のスライドファスナー。
【請求項３２】
ファスナーエレメント（２０）は、スライダー（４０）の停止爪（４５）が係止可能である停止壁（３３）を有し、係合凸部（２４）が停止壁（３３）から突出する、請求項２５乃至３１のいずれか一項に記載のスライドファスナー。
【請求項３３】
基部（２１）は、左右一対のファスナーストリンガー（１０）が左右方向において反対側に引かれる時、係合凸部（２４）と被係合凹部（２５）の係合に応じて生じる回転モーメントを低減する反対向きの回転モーメントが生じるように構成される、請求項２５乃至３２のいずれか一項に記載のスライドファスナー。
【請求項３４】
基部（２１）は、ファスナーテープ（１５）の芯紐（１７）まで到達する少なくとも１つの切り欠き部又は孔（５３）を有する、請求項３３に記載のスライドファスナー。
【請求項３５】
基部（２１）は、被係合凹部（２５）側に設けられた第１脚部（５１）と係合凸部（２４）側に設けられた第２脚部（５２）を有し、第１脚部（５１）とファスナーテープ（１５）の接触面積は、第２脚部（５２）とファスナーテープ（１５）の接触面積よりも大きい、請求項３３又は３４に記載のスライドファスナー。
【請求項３６】
軸線（ＣＬ）に直交する直交方向において軸線（ＣＬ）から先端部（２２）の先端面（２２ｍ）までの第１距離（Ｌ１）が、軸線（ＣＬ）から基部（２１）の基端面（２１ｍ）までの第２距離（Ｌ２）未満であり、
第１距離（Ｌ１）をＰとし、第２距離（Ｌ２）をＱとする時、０．３９＜Ｐ／Ｑ＜０．７４を満足する、請求項２５乃至３５のいずれか一項に記載のスライドファスナー。
【請求項３７】
左右一対のファスナーストリンガー（１０）において結合した左右一方のファスナーエレメント（２０）の基部（２１）の基端面（２１ｍ）と左右他方のファスナーエレメント（２０）の基部（２１）の基端面（２１ｍ）の直交方向における間隔（Ｗ１０）をＴとする時、０．３０＜２Ｐ／Ｔ＜０．７０を満足する、請求項３６に記載のスライドファスナー。
【請求項３８】
係合凸部（２４）の突出の程度と、被係合凹部（２５）の凹みの程度は相補的である、請求項２５乃至３７のいずれか一項に記載のスライドファスナー。
【請求項３９】
ファスナーエレメント（２０）は、第１及び第２棒部（２７，２８）を含み、
第１棒部（２７）と第２棒部（２８）のなす角θが、
１２０°＜θ＜１４０°
を満足する、請求項２５乃至３８のいずれか一項に記載のスライドファスナー。
【請求項４０】
前後方向において、係合凸部（２４）の頂点位置（Ａ）と第１凹部（２９）の底位置（Ｄ）の間隔（Ｗ４）が、先端部（２２）の最も後方に位置する点（Ｂ）と被係合凹部（２５）の底位置（Ｃ）の間隔（Ｗ５）に実質的に等しい、請求項２５乃至３９のいずれか一項に記載のスライドファスナー。
【請求項４１】
左右一対のファスナーストリンガー（１０）にして、各ファスナーストリンガー（１０）が、ファスナーテープ（１５）と、ファスナーテープ（１５）に取り付けられた複数のファスナーエレメント（２０）を備え、各ファスナーエレメント（２０）が、ファスナーテープ（１５）に固定された基部（２１）と、基部（２１）の反対側に位置する先端部（２２）を有する、左右一対のファスナーストリンガー（１０）と、
左右一対のファスナーストリンガー（１０）を開閉するための少なくとも一つのスライダー（４０）を備えるスライドファスナー（１００）であって、
左側及び右側それぞれのファスナーエレメント（２０）は、先端部（２２）と基部（２１）の間で屈曲又は湾曲した部分を含む中間部（２３）を有し、中間部（２３）は、スライダー（４０）の移動方向に合致する軸線（ＣＬ）上で突出した係合凸部（２４）と凹んだ被係合凹部（２５）を有し、
左側及び右側の一方側のファスナーエレメント（２０）は、左側及び右側の他方側のファスナーエレメント（２０）の上下方向に沿う変位を阻止する少なくとも１つの変位規制部（３０）を有する、スライドファスナー。
【請求項４２】
係合凸部（２４）は、軸線（ＣＬ）上に位置する角部を含み、被係合凹部（２５）は、軸線（ＣＬ）上に位置し、角部と相補的な形状を有する溝を含む、請求項４１に記載のスライドファスナー。
【請求項４３】
ファスナーエレメント（２０）の先端部（２２）には、係合凸部（２４）と同じ方向に係合凸部（２４）よりも小さい突出量で突出した第２小突起（３２）が設けられる、請求項４１又は４２に記載のスライドファスナー。
【請求項４４】
ファスナーエレメント（２０）は、スライダー（４０）の停止爪（４５）が係止可能である停止壁（３３）を有し、係合凸部（２４）が停止壁（３３）から突出する、請求項４１乃至４３のいずれか一項に記載のスライドファスナー。
【請求項４５】
基部（２１）は、左右一対のファスナーストリンガー（１０）が左右方向において反対側に引かれる時、係合凸部（２４）と被係合凹部（２５）の係合に応じて生じる回転モーメントを低減する反対向きの回転モーメントが生じるように構成される、請求項４１乃至４４のいずれか一項に記載のスライドファスナー。
【請求項４６】
基部（２１）は、ファスナーテープ（１５）の芯紐（１７）まで到達する少なくとも１つの切り欠き部又は孔（５３）を有する、請求項４５に記載のスライドファスナー。
【請求項４７】
基部（２１）は、被係合凹部（２５）側に設けられた第１脚部（５１）と係合凸部（２４）側に設けられた第２脚部（５２）を有し、第１脚部（５１）とファスナーテープ（１５）の接触面積は、第２脚部（５２）とファスナーテープ（１５）の接触面積よりも大きい、請求項４５又は４６に記載のスライドファスナー。
【発明の詳細な説明】
【技術分野】
【０００１】
本開示は、スライドファスナーに関する。
【背景技術】
【０００２】
特許文献１は、より幅狭のスライドファスナーを提供する技術を開示する。左右のファスナーエレメントが、スライダーの移動方向にて互い違いに結合する。各ファスナーエレメントの長さが、互い違いに組み合わされた左右のファスナーエレメントの左右幅未満である。各ファスナーエレメントの形状は、曲がった又は湾曲した形状を含む。
【先行技術文献】
【特許文献】
【０００３】
【特許文献１】英国特許出願公開第４４２８０９号明細書
【発明の概要】
【発明が解決しようとする課題】
【０００４】
本願の図９に示す従来型のスライドファスナーでは、左右のファスナーエレメント５００を結合するためにスライダーを引く際、左側ファスナーエレメント５００の頭部５１０が、右側のファスナーテープ上で隣接する右側ファスナーエレメント５００の頭部５１０の間の隙間に入ることが要求され、同様に、右側ファスナーエレメント５００の頭部５１０が、左側のファスナーテープ上で隣接する左側ファスナーエレメント５００の頭部５１０の間の隙間に入ることが要求される。このファスナーエレメント２０の結合を生じさせるスライダーの移動に要求される力は、身体的弱者、例えば、幼児や高齢者にとって決して小さいものではない。【０００５】
本願発明者は、ファスナーエレメントを結合するためのスライダーの移動に要する力が低減されるスライドファスナーを提供する意義を新たに見出した。
【課題を解決するための手段】
【０００６】
本開示の幾つかの態様に係るスライドファスナーは、一対のファスナーストリンガーにして、各ファスナーストリンガーが、ファスナーテープと、前記ファスナーテープに取り付けられた複数のファスナーエレメントを備え、各ファスナーエレメントが、前記ファスナーテープに固定された基部と、前記基部の反対側に位置する先端部を有する、一対のファスナーストリンガーと、前記一対のファスナーストリンガーを開閉するための少なくとも一つのスライダーにして、上翼板と、下翼板と、前記上翼板と下翼板を連結し、前記ファスナーエレメントの先端部の先端面が対面又は接触する連結柱と、前記上翼板及び下翼板の少なくとも一方に設けられ、前記ファスナーエレメントの基部の基端面が対面又は接触するフランジ部を備える、スライダーを備えるスライドファスナーであって、前記ファスナーエレメントは、前記先端部と前記基部の間で屈曲又は湾曲した部分を含む中間部を有し、前記中間部は、前記スライダーの移動方向に合致する軸線上で突出した係合凸部と凹んだ被係合凹部を有し、前記軸線に直交する直交方向において前記軸線から前記先端部の先端面までの第１距離が、前記軸線から前記基部の基端面までの第２距離未満である。【０００７】
本開示の幾つかの態様に係るスライドファスナーは、前記軸線に沿う前記スライダーの移動方向を前後方向とし、前記スライダーの前進により前記一対のファスナーストリンガーが閉じられ、前記スライダーの後進により前記一対のファスナーストリンガーが開けられるスライドファスナーであって、前記ファスナーエレメントは、前記被係合凹部と反対側であり、前記係合凸部と同じ側において凹んだ第１凹部を有し、前記前後方向において、前記係合凸部の頂点位置と前記第１凹部の底位置の間隔が、前記先端部の最も後方に位置する点と前記被係合凹部の底位置の間隔に実質的に等しい。【０００８】
本開示の幾つかの態様に係るスライドファスナーは、左右一対のファスナーストリンガーにして、各ファスナーストリンガーが、ファスナーテープと、ファスナーテープに取り付けられた複数のファスナーエレメントを備え、各ファスナーエレメントが、ファスナーテープに固定された基部と、基部の反対側に位置する先端部を有する、左右一対のファスナーストリンガーと、左右一対のファスナーストリンガーを開けるために前進し、また左右一対のファスナーストリンガーを閉じるために後進する少なくとも一つのスライダーを備えるスライドファスナーであって、左側及び右側それぞれのファスナーエレメントは、ファスナーエレメントの前側に係合凸部と、ファスナーエレメントの後側に被係合凹部を有するように屈曲又は湾曲し、左右一方側のファスナーエレメントの係合凸部と基部の間には、左右他方側のファスナーエレメントに設けられた後方に突出した第１小突起を受け入れるための第１凹部が設けられ、左側及び右側それぞれのファスナーエレメントにおいて、第１小突起よりも係合凸部が左右方向において基部寄りにシフトして設けられ、第１凹部が被係合凹部よりも左右方向において基部寄りにシフトして設けられる。【０００９】
本開示の幾つかの態様に係るスライドファスナーは、左右一対のファスナーストリンガーにして、各ファスナーストリンガーが、ファスナーテープと、ファスナーテープに取り付けられた複数のファスナーエレメントを備え、各ファスナーエレメントが、ファスナーテープに固定された基部と、基部の反対側に位置する先端部を有する、左右一対のファスナーストリンガーと、左右一対のファスナーストリンガーを開閉するための少なくとも一つのスライダーを備えるスライドファスナーであって、左側及び右側それぞれのファスナーエレメントは、先端部と基部の間で屈曲又は湾曲した部分を含む中間部を有し、中間部は、スライダーの移動方向に合致する軸線上で突出した係合凸部と凹んだ被係合凹部を有し、左側及び右側の一方側のファスナーエレメントは、左側及び右側の他方側のファスナーエレメントの上下方向に沿う変位を阻止する少なくとも１つの変位規制部を有する。
【発明の効果】
【００１０】
本開示の一態様によれば、ファスナーエレメントを結合するためのスライダーの移動に要する力が低減されるスライドファスナーを提供することができる。
【図面の簡単な説明】
【００１１】
【図１】本開示の一態様に係るスライドファスナーの概略的及び部分的な正面模式図であり、スライダーの連結柱及びフランジ部を断面にて示し、スライダーの上翼板及び下翼板の輪郭を破線で示す。
【図２】本開示の一態様に係るスライドファスナーのファスナーストリンガーの概略的及び部分的な正面模式図である。
【図３】図１のＩＩＩ−ＩＩＩに沿う概略的な断面模式図である。
【図４】ファスナーエレメントの先端部の先端面を示すファスナーエレメントの概略的な側面模式図である。
【図５】左右のファスナーエレメントが結合する過程を説明するための参考図である。
【図６】左右のファスナーエレメントが結合する過程を説明するための参考図である。
【図７】左右のファスナーエレメントが結合する過程を説明するための参考図である。
【図８】左右のファスナーエレメントが結合する過程を説明するための参考図である。
【図９】従来のスライドファスナーの概略的及び部分的な正面模式図であり、結合状態のファスナーエレメントを図示する。
【図１０】本開示の一態様に係るスライドファスナーの概略的及び部分的な正面模式図であり、スライダーを一点鎖線で模式的に示す。
【図１１】結合状態の左右のファスナーストリンガーを示す概略的及び部分的な正面模式図である。
【図１２】図１１の二点鎖線Ｘ１２−Ｘ１２に沿う概略的な端面模式図である。
【図１３】図１１の二点鎖線Ｘ１３−Ｘ１３に沿う概略的な端面模式図である。
【図１４】ファスナーテープに固着したファスナーエレメントの概略的な斜視図である。
【図１５】ファスナーテープに固着したファスナーエレメントの概略的な正面模式図である。
【図１６】図１５の二点鎖線Ｘ１６−Ｘ１６に沿う概略的な端面模式図であり、ファスナーエレメントの先端部に設けられた傾斜面を示す。
【図１７】図１５の二点鎖線Ｘ１７−Ｘ１７に沿う概略的な端面模式図であり、ファスナーエレメントに設けられた停止壁を示す。
【図１８】ファスナーテープに固着したファスナーエレメントの概略的な前側面図である。
【図１９】ファスナーテープに固着したファスナーエレメントの概略的な後側面図である。
【図２０】ファスナーテープに固着したファスナーエレメントの概略的な側面図であり、ファスナーエレメントの先端部の先端面を示す。
【図２１】（ａ）が本開示に係るファスナーエレメントを示し、（ｂ）が従来のファスナーエレメントを示す。
【図２２】ファスナーエレメントの概略的な正面模式図であり、スライダーの停止爪が係止可能である停止壁がファスナーエレメントの先端部の先端面まで延びる。
【図２３】本開示の一態様に係るスライドファスナーの左右の結合したファスナーストリンガーを示す概略的及び部分的な正面模式図であり、ファスナーエレメントの基部が第１及び第２脚部を有する。
【図２４】図２３の二点鎖線Ｘ２４−Ｘ２４に沿う概略的な端面模式図である。
【図２５】図２３の二点鎖線Ｘ２５−Ｘ２５に沿う概略的な端面模式図である。
【図２６】ファスナーテープに固着したファスナーエレメントの概略的な正面模式図である。
【図２７】図２６の二点鎖線Ｘ２７−Ｘ２７に沿う概略的な端面模式図である。
【図２８】図２６の二点鎖線Ｘ２８−Ｘ２８に沿う概略的な端面模式図である。
【図２９】本開示の一態様に係るスライドファスナーのファスナーエレメントの概略的な正面模式図であり、ファスナーエレメントの基部の第１脚部の幅が狭く見える。
【図３０】図２９の二点鎖線Ｘ３０−Ｘ３０に沿う概略的な端面模式図である。
【図３１】本開示の一態様に係るスライドファスナーのファスナーエレメントの概略的な正面模式図であり、第２脚部が除去されている。
【図３２】本開示の一態様に係るスライドファスナーのファスナーエレメントの概略的な正面模式図であり、基部に孔が設けられる。
【図３３】本開示の一態様に係るスライドファスナーの左右の結合したファスナーストリンガーを示す概略的及び部分的な上面模式図である。
【図３４】本開示の一態様に係るスライドファスナーの左右の結合したファスナーストリンガーを示す概略的及び部分的な下面模式図である。
【図３５】図３３の二点鎖線Ｘ３５−Ｘ３５に沿う概略的な端面模式図である。
【図３６】ファスナーテープに固着したファスナーエレメントの概略的な後側面図であり、ファスナーエレメントの中間部に設けられた凹部を示す。
【図３７】ファスナーテープに固着したファスナーエレメントの概略的な上面図であり、下側の構造が破線で示される。
【図３８】ファスナーテープに固着したファスナーエレメントの概略的な下面図であり、上側の構造が破線で示される。
【発明を実施するための形態】
【００１２】
以下、図１乃至図３８を参照しつつ、本発明の非限定の実施形態例について説明する。開示の１以上の実施形態例及び実施形態例に包含される各特徴は、個々に独立したものではない。当業者は、過剰説明を要せず、各実施形態例及び／又は各特徴を組み合わせることができる。また、当業者は、この組み合わせによる相乗効果も理解可能である。実施形態例間の重複説明は、原則的に省略する。参照図面は、発明の記述を主たる目的とするものであり、作図の便宜のために簡略化されている場合がある。
【００１３】
以下に記述において、あるスライドファスナーに関して記述される複数の特徴が、これらの特徴の組み合わせとして理解される他、他の特徴とは独立した個別の特徴として理解される。個別の特徴は、他の特徴との組み合わせを必須とすることなく独立した個別の特徴として理解されるが、１以上の他の個別の特徴との組み合わせとしても理解される。個別の特徴の組み合わせの全てを記述することは当業者には冗長である他なく、省略される。個別の特徴は、「幾つかの場合」といった表現により明示される。個別の特徴は、例えば、図面に開示されたスライドファスナーにのみ有効であるものではなく、他の様々なスライドファスナーにも通用する普遍的な特徴として理解される。
【００１４】
本明細書においては、次のように定義される方向を示す用語が用いられる。前後方向は、スライダーの移動方向に合致し、若しくはスライダーの移動方向に即して理解される。左右方向は、一対のファスナーストリンガーが存在する平面において前後方向に直交する。上下方向は、前後方向及び左右方向それぞれに直交する。なお、後述の説明に照らして、これらの用語が再定義可能であるものとする。本明細書及び／又は請求項で言及される前後方向、左右方向、及び上下方向は、別の基準、例えば、鉛直方向や看者を基準として理解される上下方向、左右方向、前後方向に一致する必要はないことに留意されたい。
【００１５】
図１に示すように、スライドファスナー１００は、一対のファスナーストリンガー１０と、一対のファスナーストリンガー１０を開閉するための少なくとも一つのスライダー４０を有する。スライドファスナー１００に２以上のスライダーが設けられる例も想定される。説明の便宜上、一対のファスナーストリンガー１０の左側ファスナーストリンガー１０のファスナーテープ１５やファスナーエレメント２０を、各々、左側ファスナーテープ１５や左側ファスナーエレメント２０と呼ぶ場合がある。同様に、一対のファスナーストリンガー１０の右側ファスナーストリンガー１０のファスナーテープ１５やファスナーエレメント２０を、各々、右側ファスナーテープ１５や右側ファスナーエレメント２０と呼ぶ場合がある。
【００１６】
スライダー４０の前進により左右のファスナーストリンガー１０が閉じられ、スライダー４０の後進により左右のファスナーストリンガー１０が開けられる。左右のファスナーストリンガー１０が閉じられることは、左右のファスナーエレメント２０が結合することを意味する。左右のファスナーストリンガー１０が開けられることは、左右のファスナーエレメント２０の結合が解除されることを意味する。
【００１７】
一対のファスナーストリンガー１０に含まれる各ファスナーストリンガー１０は、ファスナーテープ１５と、ファスナーテープ１５に取り付けられた複数のファスナーエレメント２０を有する。ファスナーテープ１５は、可撓性薄材であり、一対のテープ面として上側テープ面と下側テープ面を有する。ファスナーテープ１５は、ファスナーエレメント２０が取り付けられる側縁部１６を有する。ファスナーテープ１５とファスナーエレメント２０の結合を強めるべく、側縁部１６には芯紐１７が設けられる。幾つかの場合、ファスナーテープ１５は、織物、編物、又はこれらの混成品である。芯紐１７は、ファスナーテープ１５と一緒に織成され、若しくはファスナーテープ１５に対して縫い付けられる。
【００１８】
ファスナーエレメント２０は、ファスナーテープ１５に固定された基部２１と、基部２１の反対側に位置する先端部２２を有する。先端部２２は、基部２１よりもファスナーテープ外方に設けられる。ファスナーテープ外方とは、ファスナーテープ１５のテープ面上の点からテープ面外の点に向かう方向である。あるファスナーテープ１５に設けられるファスナーエレメント２０の先端部２２は、そのファスナーエレメント２０の基部２１よりも他方のファスナーテープ１５側に設けられる。基部２１は、ファスナーテープ１５のテープ面上に存在し、端的には、ファスナーテープ１５の側縁部１６及び芯紐１７上に存在する。先端部２２は、ファスナーテープ１５のテープ面上に存在しない。ファスナーエレメント２０は、ファスナーテープ１５の側縁部１６に固定された基部２１からファスナーテープ１５のテープ面上に存在しない先端部２２に向けて左右方向に延びる。
【００１９】
ファスナーエレメント２０の先端部２２は、スライダー４０の連結柱４３に対面又は接触する先端面２２ｍを有する。先端面２２ｍは、幾つかの場合、スライダー４０の連結柱４３に接触し、その側面上を摺動する。ファスナーエレメント２０の基部２１は、スライダー４０のフランジ部４４に対面又は接触する基端面２１ｍを有する。幾つかの場合、基端面２１ｍは、スライダー４０のフランジ部４４に接触し、その内面上を摺動する。ファスナーエレメント２０が、その先端面２２ｍで連結柱４３の側面に接触及び／又は摺動することにより、ファスナーエレメント２０の姿勢が安定化する。同様に、ファスナーエレメント２０が、その基端面２１ｍでフランジ部４４の内面に接触及び／又は摺動することにより、ファスナーエレメント２０の姿勢が安定化する。幾つかの場合、基端面２１ｍ及び／又は先端面２２ｍが少なくとも部分的に平坦面を含む。
【００２０】
ファスナーエレメント２０の基部２１は、ファスナーテープ１５の上方に設けられる上部基部と、ファスナーテープ１５の下方に設けられる下部基部を有する。基部２１の基端面２１ｍは、ファスナーテープ１５により上下に分割される。基端面２１ｍの上部領域が、スライダー４０の上部フランジ部の内面に対面又は接触し、場合によっては、その上を摺動する。基端面２１ｍの下部領域が、スライダー４０の下部フランジ部の内面に対面又は接触し、場合によっては、その上を摺動する。
【００２１】
先端面２２ｍと基端面２１ｍの左右方向間隔が、ファスナーエレメント２０の左右方向の幅に一致する。ファスナーエレメント２０は、基端面２１ｍと先端面２２ｍの間を延びる前側面と、後側面を有する。前側面は、後述の一つの第１凹部２９と一つの係合凸部２４を形成するように左右方向にて延びる。前側面は、スライダーの移動方向に関する前方を臨む側面である。後側面は、後述の一つの被係合凹部２５を形成するように左右方向にて延びる。後側面は、スライダーの移動方向に関する後方を臨む側面である。
【００２２】
図２に示すように、ファスナーエレメント２０は、先端部２２と基部２１の間で屈曲又は湾曲した中間部２３を有する。中間部２３は、スライダー４０の移動方向に合致する軸線ＣＬ上で突出した係合凸部２４と軸線ＣＬ上で凹んだ被係合凹部２５を有する。図示例を含む幾つかの場合、係合凸部２４は、緩慢に前方に隆起する。係合凸部２４の頂点は、軸線ＣＬ上に位置する。被係合凹部２５は、緩慢に前方に窪む。被係合凹部２５の底点は、軸線ＣＬ上に位置する。図１に示すように、軸線ＣＬは、結合した左右の各ファスナーエレメント２０の基部２１の基端面２１ｍの左右間隔Ｗ１０の中心に位置する。軸線ＣＬは、ファスナーテープ１５の長手方向に平行である。中間部２３の係合凸部２４においてファスナーエレメント２０の前側面が前方に突出するように屈曲し、或いは弧状に湾曲する。中間部２３の被係合凹部２５においてファスナーエレメント２０の後側面が前方に突出するように屈曲し、或いは弧状に湾曲する。
【００２３】
図２に示すように、係合凸部２４は、基部２１の前後方向の幅Ｗ１の範囲を超えて前方に位置する。すなわち、係合凸部２４の前側端部は、基部２１の前側端部よりも前方に位置する。他方、被係合凹部２５は、基部２１の前後方向の幅Ｗ１の中心付近に位置する。端的には、係合凸部２４の頂点は、基部２１の最大幅Ｗ１の範囲外に位置し、被係合凹部２５の底点は、基部２１の最大幅Ｗ１の範囲内に位置する。なお、被係合凹部２５の底点は、先端部２２の最小幅Ｗ２の範囲内に位置する。ファスナーエレメント２０がかかる態様で屈曲又は湾曲することでファスナーエレメント２０の狭い左右幅が達成される。また、左右のファスナーエレメント２０の結合時に結合対のファスナーエレメント２０同士の不要な干渉が低減され、結合完了時には両者の良好な結合が確保される。なお、本明細書ではファスナーエレメント２０が屈曲する場合のみが図示され、ファスナーエレメント２０が湾曲する場合の図示が省略される。
【００２４】
幾つかの場合、先端部２２の少なくとも一部は、基部２１の最大幅Ｗ１の範囲内に位置する。幾つかの場合、先端部２２の先端面２２ｍは、基部２１の最大幅Ｗ１の範囲内に位置する。
【００２５】
幾つかの場合、ファスナーエレメント２０は、正面視して逆Ｖ字状に屈曲した形状を呈する。幾つかの場合、ファスナーエレメント２０は、第１及び第２棒部２７，２８を有する。第１棒部２７と第２棒部２８の境界が軸線ＣＬ上に存在し得る。第１棒部２７と第２棒部２８の結合部分が、上述の中間部２３に一致し得る。第２棒部２８が上述の先端部２２を含む。第１棒部２７と基部２１の境界は、例えば、軸線ＣＬに平行であり、芯紐１７の左右幅中心に存在する軸線ＡＸに存在する。
【００２６】
左右のファスナーエレメント２０が結合する時、左側ファスナーエレメント２０は、右側ファスナーテープ１５上で隣接する右側ファスナーエレメント２０の間に挟まれる。幾つかの場合、左側ファスナーエレメント２０の係合凸部２４が前方に位置する右側ファスナーエレメント２０の被係合凹部２５に係合する。同様に、左側ファスナーエレメント２０の被係合凹部２５が後方に位置する右側ファスナーエレメント２０の係合凸部２４に係合する。
【００２７】
左右のファスナーエレメント２０が結合する時、左側ファスナーエレメント２０の第１棒部２７の前側面と、前方に位置する右側ファスナーエレメント２０の第２棒部２８の後側面が対面又は接触する。左側ファスナーエレメント２０の第１棒部２７の後側面と、後方に位置する右側ファスナーエレメント２０の第２棒部２８の前側面が対面又は接触する。
【００２８】
左右のファスナーエレメント２０が結合する時、左側ファスナーエレメント２０の第２棒部２８の前側面と、前方に位置する右側ファスナーエレメント２０の第１棒部２７の後側面が対面又は接触する。左側ファスナーエレメント２０の第２棒部２８の後側面と、後方に位置する右側ファスナーエレメント２０の第１棒部２７の前側面が対面又は接触する。
【００２９】
左右のファスナーエレメント２０が結合した状態で左側ファスナーエレメント２０が左側に移動しようとしても、左側ファスナーエレメント２０の第２棒部２８が後方の右側ファスナーエレメント２０の第１棒部２７と干渉し、左側ファスナーエレメント２０の第１棒部２７が前方の右側ファスナーエレメント２０の第２棒部２８と干渉する。右側ファスナーエレメント２０についても左側ファスナーエレメント２０との関係において同様の説明が当てはまる。
【００３０】
本開示例を含む幾つかの場合、第１棒部２７と第２棒部２８のなす角θが、１２０°＜θ＜１４０°である。１２０°＞θの場合、左右のファスナーエレメント２０が結合する時、左右のファスナーエレメント２０が干渉し、スライダー４０の移動に要する力が増加し、若しくは左右のファスナーエレメント２０が上手く結合しない。θ＞１４０°の場合、同一のファスナーテープ１５上で隣接するファスナーエレメント２０の基部２１の間隔Ｗ３が狭くなり、同一のファスナーテープ１５上で隣接するファスナーエレメント２０の基部２１同士が干渉し、若しくはファスナーテープ１５の側縁部１６の可撓性が低下してしまう。
【００３１】
第１棒部２７と第２棒部２８の関係は、係合凸部２４を形成する第１棒部２７の前側面と第２棒部２８の前側面の関係に当てはまり、同様に、被係合凹部２５を形付ける第１棒部２７の後側面と第２棒部２８の後側面の関係に当てはまる。
【００３２】
幾つかの場合、第１棒部２７と基部２１の間には前後方向において係合凸部２４と同じ側に、先述の被係合凹部２５とは別の第１凹部２９が設けられる。第１凹部２９は、被係合凹部２５と反対側であり、係合凸部２４と同じ側において係合凸部２４の突出方向と反対方向に凹んだ凹部である。第１凹部２９は、ファスナーテープ１５の芯紐１７上に位置し、詳細には、第１凹部２９の底点が、軸線ＡＸ上に位置し得る。第１凹部２９の存在は、基部２１の最大幅Ｗ１の増加をもたらし得る。図２から分かるように、係合凸部２４の頂点位置と第１凹部２９の底位置の前後方向の間隔Ｗ４は、先端部２２の最も後方に位置する点と被係合凹部２５の底位置の間隔Ｗ５に実質的に等しい。つまり、係合凸部２４の突出の程度と、被係合凹部２５の凹みの程度は、相補的である。これにより、左右同一形状のファスナーエレメント２０の良好な結合が促進される。また、図１から分かるように、左右のファスナーストリンガー１０が結合する時、左側のファスナーエレメント２０の第１凹部２９に右側ファスナーエレメント２０の先端部２２が進入する。従って、第１凹部２９が設けられない場合に比べて、第１凹部２９が設けられる場合、左右のファスナーエレメント２０の係合の角度が大きくなり（或いは、深くなり）、スライドファスナー１００の横引き強度が向上する。
【００３３】
第１棒部２７の前側面と後側面は、軸線ＡＸと軸線ＣＬの間で左右方向に関して斜めに実質的に平行に延びる。第２棒部２８の前側面と後側面は、軸線ＣＬからファスナーテープ外方に向かって左右方向に関して斜めに平行に延びる。
【００３４】
図２乃至図４に示すように、幾つかの場合、ファスナーエレメント２０の先端部２２には、一対のファスナーストリンガー１０が結合する時、結合相手のファスナーストリンガー１０のファスナーテープ１５の芯紐１７が収容される凹状の収容部２６が設けられる。凹状の収容部２６は、芯紐１７と同じく前後方向に延びる。ファスナーエレメント２０の収容部２６が芯紐１７を収容することにより、結合時のファスナーエレメント２０の先端部２２の上下変位が効果的に規制される。図４に示すように、収容部２６は、先端部２２の上下方向の厚みの中心に設けられる。先端部２２の先端面２２ｍは、凹状の収容部２６により上下で分割される。先端面２２ｍの上部領域が、スライダー４０の連結柱４３の上側部分の側面に接触する。先端面２２ｍの下部領域が、スライダー４０の連結柱４３の下側部分の側面に接触する。前後方向に延びる凹状の収容部２６の深さＤ２６は、芯紐１７の左右幅未満である。
【００３５】
ファスナーエレメント２０は、金属、樹脂、又はこれ以外の材料から成り得る。ファスナーエレメント２０が金属製である場合、ファスナーエレメント２０の基部２１が二股状に構成され、加締め工程によりファスナーテープ１５の側縁部１６に対して固定される。ファスナーエレメント２０が樹脂製である場合、ファスナーテープ１５の側縁部１６が金型のキャビティー内に配された状態で行われる射出成形工程によりファスナーエレメント２０がファスナーテープ１５の側縁部１６に固定される。ファスナーエレメント２０が、これ以外の材料から成る場合、この材料に適した任意の工程によりファスナーテープ１５の側縁部１６に固定される。
【００３６】
スライダー４０は、上翼板４１と、下翼板４２と、上翼板４１と下翼板４２を連結し、ファスナーエレメント２０の先端部２２の先端面２２ｍが対面又は接触する連結柱４３と、上翼板４１及び下翼板４２の少なくとも一方に設けられ、ファスナーエレメント２０の基部２１の基端面２１ｍが対面又は接触する一対のフランジ部４４を有する。スライダー４０は、金属、樹脂、又はこれ以外の材料から成り得る。スライダー４０は、連結柱４３の左右隣に一対の前口を有し、各前口を介して各ファスナーエレメント２０がスライダー４０内に進入する。スライダー４０内で結合した左右のファスナーエレメント２０は、スライダー４０の一つの後口を介してスライダー４０外に移動する。幾つかの場合、スライダー４０の上翼板４１には引手取付柱が設けられ、任意の種類の引手が引手取付柱に取り付けられる。
【００３７】
上翼板４１と下翼板４２は、連結柱４３の上下高さ分の間隔をあけて互いに対向して設けられる。上翼板４１と下翼板４２の上下間隔は、ファスナーエレメント２０の最大上下厚よりも僅かに大きい。
【００３８】
スライダー４０の連結柱４３は、前方において最大幅を有し、後方において最小幅を有する三角形状、より正確には二等辺三角形状の断面形状を有する。連結柱４３は、後方に向かって互いに接近する左側面４３ｍと右側面４３ｎを有する。左側面４３ｍが平坦面であり、左側のファスナーエレメント２０の円滑な摺動が確保される。右側面４３ｎが平坦面であり、右側のファスナーエレメント２０の円滑な摺動が確保される。
【００３９】
連結柱４３は、丸み付けられた後端部４３ｒを有する。左側面４３ｍと右側面４３ｎの間の角度は、適切な値に設定され、幾つかの場合、３５〜４５°であり、本開示例においては４０°である。連結柱４３は前後方向に垂直に交差する前側面４３ｆを有する。左側面４３ｍと前側面４３ｆの間には弧状面が設けられ、右側面４３ｎと前側面４３ｆの間にも弧状面が設けられ、ファスナーエレメント２０の円滑な摺動が促進される。
【００４０】
スライダー４０の一対のフランジ部４４は、前方において最大左右間隔を有し、後方において最小左右間隔を有する。一対のフランジ部４４は、左側フランジ部４４ｍと右側フランジ部４４ｎを有する。左側フランジ部４４ｍは、右側フランジ部４４ｎに対向する内面４４ｍ１を有する。右側フランジ部４４ｎは、左側フランジ部４４ｍに対向する内面４４ｎ１を有する。左側ファスナーエレメント２０の基部２１の基端面２１ｍが、左側フランジ部４４ｍの内面４４ｍ１に対面又は接触し、若しくはその内面４４ｍ１上を摺動する。右側ファスナーエレメント２０の基部２１の基端面２１ｍが、右側フランジ部４４ｎの内面４４ｎ１に対面又は接触し、若しくはその内面４４ｎ１上を摺動する。
【００４１】
本開示例を含む幾つかの場合、一対のフランジ部４４が上翼板４１及び下翼板４２に個別に設けられる。すなわち、スライダー４０は、上翼板４１に設けられた一対の上部フランジ部と、下翼板４２に設けられた一対の下部フランジ部を有する。合計４個のフランジ部４４を設けることにより、上翼板４１と下翼板４２の間のエレメント通路を左右方向から好適に規制することができる。実施形態によっては、ファスナーエレメント２０は、上部フランジ部と下部フランジ部の間の隙間に突入するフィン部を有することができる。スライダー４０が合計２つのフランジ部４４のみを有し、更に、その一方のフランジ部が上翼板４１に設けられ、他方のフランジ部４４が下翼板４２に設けられる変形例も想定される。
【００４２】
本開示例を含む幾つかの場合、図１及び図２に示すように、軸線ＣＬに直交する左右方向において軸線ＣＬから先端部２２の先端面２２ｍまでの第１距離Ｌ１が、軸線ＣＬから基部２１の基端面２１ｍまでの第２距離Ｌ２未満である。かかる構成によれば、左右のファスナーストリンガー１０を結合するためのスライダー４０の移動に要求される力が効果的に低減される。幾つかの場合、第１距離Ｌ１をＰとし、第２距離Ｌ２をＱとする時、０．３９＜Ｐ／Ｑ＜０．７４を満足する。０．３９＞Ｐ／Ｑの場合、ファスナーエレメント２０が、結合相手のファスナーエレメント２０が設けられた芯紐１７に到達することができず、結合時のファスナーエレメント２０の上下変位が規制されないおそれがある。Ｐ／Ｑ＞０．７４の場合、結合時に一方のファスナーエレメント２０の第２棒部２８が他方のファスナーエレメント２０の第１棒部２７に干渉してしまうおそれがある。
【００４３】
本開示例を含む幾つかの場合、一対のファスナーストリンガー１０において結合した一方のファスナーエレメント２０の基部２１の基端面２１ｍと他方のファスナーエレメント２０の基部２１の基端面２１ｍの直交方向（すなわち左右方向）における間隔Ｗ１０をＴとする時、０．３０＜２Ｐ／Ｔ＜０．７０を満足する。０．３０＞２Ｐ／Ｔの場合、ファスナーエレメント２０が、結合相手のファスナーエレメント２０が設けられた芯紐１７に到達することができず、結合時のファスナーエレメントの上下変位が規制されないおそれがある。２Ｐ／Ｔ＞０．７０の場合、結合時に、一方のファスナーエレメントの第２棒部２８が他方のファスナーエレメントの第１棒部２７に干渉してしまうおそれがある。
【００４４】
本開示例を含む幾つかの場合、軸線ＣＬに平行な方向において、基部２１の最大幅Ｗ１が、先端部２２の最小幅Ｗ２よりも大きい。これにより、ファスナーテープ１５に対するファスナーエレメント２０の取付強度が高められる。
【００４５】
本開示例を含む幾つかの場合、軸線ＣＬに平行な方向において、基部２１の最大幅Ｗ１をＲとし、同一のファスナーテープ１５上で隣接するファスナーエレメント２０の基部２１の最小間隔Ｗ３をＳとする時、
０．６２＜Ｒ／（Ｒ＋Ｓ）＜０．８３
を満足する。
Ｒ／（Ｒ＋Ｓ）＞０．８３の場合、左右のファスナーエレメント２０が結合する時、同一のファスナーテープ１５上で隣接するファスナーエレメント２０の各基部２１が干渉してしまうおそれがある。０．６２＞Ｒ／（Ｒ＋Ｓ）の場合、ファスナーテープ１５に対するファスナーエレメント２０の取付強度が低下し、また基端面２１ｍの十分な面積が確保し難くなり、このため、スライダー４０内でのファスナーエレメント２０の姿勢の安定化が損なわれるおそれがある。
【００４６】
図５乃至図８を参照して右側ファスナーエレメント２０Ａが、左側ファスナーエレメント２０Ｂ，２０Ｃと結合する過程を説明する。スライダー４０の前進の結果、図５及び図６に示すように、ファスナーエレメント２０Ａの先端部２２が、ファスナーエレメント２０Ｂ，２０Ｃの各先端部２２の間に進入する。ファスナーエレメント２０Ａ〜Ｃでは、上述のように第１距離Ｌ１が第２距離Ｌ２未満である。従って、ファスナーエレメント２０Ａの先端部２２は、ファスナーエレメント２０Ｂ，２０Ｃの各先端部２２の間の隙間に円滑に進入できる。同一のファスナーテープ１５上で隣接するファスナーエレメント２０の基部２１間に十分な隙間が確保されており、ファスナーエレメント２０の姿勢変化の柔軟性も確保されている。
【００４７】
スライダー４０の更なる前進の結果、図６及び図７に示すように、ファスナーエレメント２０Ａは、右側のフランジ部の内面に押されて左側に移動する。同様に、ファスナーエレメント２０Ｂ，２０Ｃは、左側のフランジ部の内面に押されて右側に移動する。ファスナーエレメント２０Ａの先端部２２は、ファスナーエレメント２０Ｃの係合凸部２４を乗り越える。ファスナーエレメント２０Ａの被係合凹部２５とファスナーエレメント２０Ｃの係合凸部２４が係合する。ファスナーエレメント２０Ｂの先端部２２及び第２棒部２８は、ファスナーエレメント２０Ａにより前方に押される。ファスナーエレメント２０Ｂは、ファスナーエレメント２０Ａとファスナーエレメント２０Ｃの係合を強く阻害しない。
【００４８】
スライダー４０の更なる前進の結果、図７及び図８に示すように、ファスナーエレメント２０Ａ〜２０Ｃが結合し、ファスナーエレメント２０Ａの係合凸部２４がファスナーエレメント２０Ｂの被係合凹部２５に係合し、ファスナーエレメント２０Ａの被係合凹部２５がファスナーエレメント２０Ｃの係合凸部２４に係合する。ファスナーエレメント２０Ｂは、ファスナーエレメント２０Ａよりも一つ前方のファスナーエレメント２０Ｄの被係合凹部２５が、ファスナーエレメント２０Ｂの係合凸部２４に結合するに際して後方に押される。
【００４９】
上述のように、本開示例を含む幾つかの場合、軸線ＣＬに直交する直交方向、すなわち左右方向において軸線ＣＬから先端部２２の先端面２２ｍまでの第１距離Ｌ１が、軸線ＣＬから基部２１の基端面２１ｍまでの第２距離Ｌ２未満である。従って、図５乃至図８のように左右のファスナーエレメント２０が結合する時に互いに強く干渉することが抑制され、左右のファスナーエレメント２０を結合するためにスライダー４０を引く力が低減される。上述のように０．３９＜Ｐ／Ｑ＜０．７４を満足する場合、このスライダー４０を引く力の低減の効果を得ながら、左右方向の引っ張り強度と、上下方向の突き上げ耐性が好適に確保される。
【００５０】
―実施例―
Ｌ１：１．９８ｍｍ、Ｌ２：３．４０ｍｍ、θ：１２０°、Ｗ１：２．０９ｍｍ、Ｗ２：０．９２ｍｍ、Ｗ３：０．８１ｍｍ、スライダー４０の連結柱４３の左側面４３ｍと右側面４３ｎのなす角：４０°とした例では、ファスナーエレメントの結合のためのスライダーの移動には、０．９Ｎの力を要した。図９に示すタイプのスライドファスナーでは、ファスナーエレメントの結合のためのスライダーの移動には、２．０〜４．０Ｎの力を要する。
【００５１】
別の実施例においては、Ｌ１：１．０８ｍｍ、Ｌ２：２．８０ｍｍ、θ：１４０°、Ｗ１：１．８４ｍｍ、Ｗ２：１．１４ｍｍ、Ｗ３：０．７１ｍｍ、スライダー４０の連結柱４３の左側面４３ｍと右側面４３ｎのなす角：４０°である。ファスナーエレメントの結合のためのスライダーの移動には、０．９Ｎの力を要した。
【００５２】
以下、図１０乃至図３８を参照して本開示の更なる態様について更に記述する。図１０は、スライドファスナー１００の概略的及び部分的な正面模式図であり、スライダー４０を一点鎖線で模式的に示す。図１１は、結合状態の左右のファスナーストリンガー１０を示す概略的及び部分的な正面模式図である。図１２は、図１１の二点鎖線Ｘ１２−Ｘ１２に沿う概略的な端面模式図である。図１３は、図１１の二点鎖線Ｘ１３−Ｘ１３に沿う概略的な端面模式図である。図１４は、ファスナーテープ１５に固着したファスナーエレメント２０の概略的な斜視図である。図１５は、ファスナーテープ１５に固着したファスナーエレメント２０の概略的な正面模式図である。図１６は、図１５の二点鎖線Ｘ１６−Ｘ１６に沿う概略的な端面模式図であり、ファスナーエレメント２０の先端部２２に設けられた傾斜面３６を示す。図１７は、図１５の二点鎖線Ｘ１７−Ｘ１７に沿う概略的な端面模式図であり、ファスナーエレメント２０に設けられた停止壁３３を示す。図１８は、ファスナーテープ１５に固着したファスナーエレメント２０の概略的な前側面図である。図１９は、ファスナーテープ１５に固着したファスナーエレメント２０の概略的な後側面図である。図２０は、ファスナーテープ１５に固着したファスナーエレメント２０の概略的な側面図であり、ファスナーエレメント２０の先端部２２の先端面２２ｍを示す。
【００５３】
図１乃至図８に示したファスナーエレメント２０とは異なり、図１０等の本開示に係るファスナーエレメント２０は、正面視して逆Ｖ字状に屈曲した形状を呈するものではないが、図１及び図２に示したファスナーエレメント２０と同様の中間部２３を有する。図１１に示すように、中間部２３は、スライダー４０の移動方向に合致する軸線ＣＬ上で突出した係合凸部２４と凹んだ被係合凹部２５を有する。更には、軸線ＣＬに直交する直交方向（つまり、左右方向）において軸線ＣＬから先端部２２の先端面２２ｍまでの第１距離Ｌ１が、軸線ＣＬから基部２１の基端面２１ｍまでの第２距離Ｌ２未満である。左右のファスナーストリンガー１０を結合するためのスライダー４０の移動に要求される力が効果的に低減され、スライダー４０をより軽い力で簡単に動かすことができる。
【００５４】
左側及び右側のファスナーエレメント２０が結合する時、左側及び右側の一方側のファスナーエレメント２０の係合凸部２４と左側及び右側の他方側のファスナーエレメント２０の被係合凹部２５が係合又は嵌合することに変わりは無い。図１乃至図８に開示の形態では、左側及び右側の一方側のファスナーストリンガー１０に含まれるファスナーエレメント２０は、左側及び右側の他方のファスナーストリンガー１０のファスナーテープ１５に対して、より端的には芯紐１７に対して係合可能である。他方、図１０乃至図３８に開示の形態では、左側及び右側の一方側のファスナーエレメント２０（端的には、先端部２２）が、左側及び右側の他方側の（結合相手）のファスナーエレメント２０の変位規制部３０に対して係合可能であり、これにより、その上下変位が阻止される。芯紐１７と比較してファスナーエレメント２０が硬いため、ファスナーエレメント２０の上下変位がより十分に阻止される。ファスナーエレメント２０の左右長が減少し、間隔Ｗ１０も減少し、結果として、専用又は特殊なスライダー（図１参照）を用いることなく既存のスライダー（図１０参照）を用いることが促進される。専用又は特殊なスライダーの使用の回避によりスライドファスナーの製造効率が高められ（或いは、スライドファスナーの製造の管理負担が低減され）、或いは、スライドファスナーの低コスト化が促進される。
【００５５】
図１１から分かるように、ファスナーエレメント２０は、中間部２３に隣接して設けられた少なくとも１つの変位規制部３０、又は前後方向で中間部２３を挟む態様で設けられた一対の変位規制部３０を有する。変位規制部３０は、基部２１からファスナーテープ外方に突出する。中間部２３の前方に位置する変位規制部３０は、係合凸部２４と基部２１の間の空間を少なくとも部分的に埋める態様で設けられる。中間部２３の後方の位置する変位規制部３０は、基部２１から先端部２２（後述の第１小突起３１）に向けて延びる。変位規制部３０は、基部２１の上下厚の中心の位置又は高さに設けられるが、必ずしもこの限りではない。変位規制部３０は、図１１に示す場合、肩部とも呼ぶことができる。
【００５６】
ファスナーエレメント２０の先端部２２と結合相手のファスナーエレメント２０の変位規制部３０の係合に関して様々な態様が想定される。図１１乃至図１３に示すように、ファスナーエレメント２０の先端部２２には変位規制部３０が収容される凹状の収容部２６が設けられる。凹状の収容部２６は、軸線ＣＬに平行に延びる溝を有するが、必ずしもこの限りではない。結合状態の２つのファスナーエレメント２０に関して、一方のファスナーエレメント２０の先端部２２の収容部２６に他方のファスナーエレメント２０の変位規制部３０が収容される。これにより、上下方向に沿うファスナーエレメント２０の変位が規制される。例えば、スライドファスナー１００の長手方向に沿うスライドファスナー１００の屈曲に応じてファスナーエレメント２０が局所的に非結合になることが抑制される。なお、ある１つのファスナーエレメント２０において、凹状の収容部２６は、係合凸部２４及び被係合凹部２５よりも基部２１から離れて配置される。
【００５７】
図１２及び図１３に示すように変位規制部３０が基部２１の上下厚の中心の位置又は高さに設けられる形態では、ファスナーエレメント２０の先端部２２の上下厚の中心の位置又は高さに凹状の収容部２６が設けられる。ファスナーエレメント２０の先端部２２は、凹状の収容部２６を挟むように設けられる上側部分２２ｐと下側部分２２ｑを有する（図１２及び図１３参照）。
【００５８】
ファスナーエレメント２０の先端部２２の後側端部には、被係合凹部２５が凹む方向とは反対方向（つまり、後方）に突出した第１小突起３１が設けられる。代替的又は追加的に、ファスナーエレメント２０の先端部２２の前側端部には、係合凸部２４と同じ方向（つまり、前方）に係合凸部２４よりも小さい突出量で突出した第２小突起３２が設けられる。凹状の収容部２６が長くなり、収容部２６と変位規制部３０のより十分な係合が促進される。必ずしもこの限りではないが、幾つかの場合、ファスナーエレメント２０の先端部２２の上側部分２２ｐと下側部分２２ｑのそれぞれに第１及び第２小突起３１，３２が設けられる。
【００５９】
なお、第２小突起３２が係合凸部２４と比較して小さい突出量を有することは、図１５に示す平面Ｂ１，Ｔ１，Ｔ２の関係から理解することができる。第２小突起３２と係合凸部２４の間にある後述の中間凹部３４の底位置に設定された平面Ｂ１と第２小突起３２の頂点に設定された平面Ｔ１の間の距離は、平面Ｂ１と係合凸部２４の頂点に設定された平面Ｔ２の間の距離よりも小さい。なお、平面Ｂ１，Ｔ１，Ｔ２は、いずれも軸線ＣＬに直交する平面である。
【００６０】
図１乃至図８に示した形態と同様、ファスナーエレメント２０は、係合凸部２４と基部２１の間で凹んだ第１凹部２９を有する（図１１参照）。図１乃至図８に示した形態とは異なり、第１凹部２９は、芯紐１７上に位置せず、芯紐１７よりもファスナーテープ外方に設けられる。結合状態の２つのファスナーエレメント２０に関して、一方のファスナーエレメント２０の先端部２２の第１小突起３１が、他方のファスナーエレメント２０の第１凹部２９に係合する。係合凸部２４と被係合凹部２５のより十分な係合が促進される。
【００６１】
図１２及び図１３に示すように変位規制部３０が基部２１の上下厚の中心の位置又は高さに設けられる形態では、変位規制部３０により第１凹部２９が上下に分割される。図１２に示すように、第１凹部２９は、上下方向において変位規制部３０を挟むように設けられた上側凹部２９ｐと下側凹部２９ｑを有する。結合状態の２つのファスナーエレメント２０に関して、一方のファスナーエレメント２０の先端部２２の上側部分２２ｐが、他方のファスナーエレメント２０の第１凹部２９の上側凹部２９ｐに配される。同様に、一方のファスナーエレメント２０の先端部２２の下側部分２２ｑが、他方のファスナーエレメント２０の第１凹部２９の下側凹部２９ｑに配される。ファスナーエレメント２０の先端部２２の上側部分２２ｐと下側部分２２ｑの間で変位規制部３０が挟まれる。第１凹部２９についてした説明は、第２凹部３９にも当てはまり、従って、重複説明は省略する。なお、第２凹部３９は、上下方向において変位規制部３０を挟むように設けられた上側凹部３９ｐと下側凹部３９ｑを有する。
【００６２】
図１乃至図８に示した形態とは異なり、ファスナーエレメント２０は、被係合凹部２５と基部２１の間の位置で凹んだ第２凹部３９を有する（図１１参照）。第１凹部２９と第２凹部３９は、中間部２３（後述の延在部２３ｊ）を前後方向で挟むように設けられる。第２凹部３９は、芯紐１７よりもファスナーテープ外方に設けられる。結合状態の２つのファスナーエレメント２０に関して、一方のファスナーエレメント２０の先端部２２の第２小突起３２が、他方のファスナーエレメント２０の第２凹部３９に係合する。係合凸部２４と被係合凹部２５のより十分な係合が促進される。被係合凹部２５と第２凹部３９の間には中間凸部３８が設けられる。左右のファスナーエレメント２０が結合する時、前側のファスナーエレメント２０の中間凸部３８は、後側のファスナーエレメント２０の第２小突起３２と係合凸部２４の中間にある中間凹部３４に進入し、これにより、第２小突起３２と第２凹部３９のより十分な係合が促進される。中間凸部３８は、後方に向かって突出する。中間凹部３４は、後方に向かって凹む。
【００６３】
上述の説明から理解できるようにファスナーエレメント２０の様々な形状が想定される。幾つかの場合、ファスナーエレメント２０の先端部２２は、係合凸部２４から被係合凹部２５に向かう方向に沿って幅狭になるテーパー部３７を有する。図示例では、ファスナーエレメント２０の先端部２２は、軸線ＣＬに沿って延びる一対の傾斜面３６を有し、一対の傾斜面３６は、係合凸部２４から被係合凹部２５に向かう方向に沿って延びるに応じて互いに接近する。これによりファスナーエレメント２０がスライダー４０の上翼板４１及び下翼板４２と接触する確率が低下し、ファスナーストリンガー１０が捻られた状態でスライダー４０が前進する時、スライダー４０内にファスナーエレメント２０が上手く進入せず、スライダー４０の円滑な動きが妨げられることが抑制される。なお、一対の傾斜面３６の一方が平坦面である形態も想定される。つまり、テーパー部３７は、ファスナーテープ１５に平行な平面といったある平面に関して対称に構成される必要はない。
【００６４】
傾斜面３６は、スライダー４０内へのファスナーエレメント２０の円滑な進入を促すことの代替又は追加として、スライダー４０に組み込まれ得る停止爪４５のための摺動面を提供し得る。具体的には、スライダー４０の前進時にスライダー４０に組み込まれた停止爪４５が傾斜面３６を摺動する。これにより、停止爪４５が組み込まれたスライダー４０の移動が円滑化される。この目的のため、傾斜面３６は、軸線ＣＬに交差する態様で左右方向に延びる。これにより、軸線ＣＬに沿って移動する停止爪４５が傾斜面３６上を円滑に摺動することができる。追加又は代替として、傾斜面３６は、ファスナーエレメント２０の先端部２２から基部２１に向かって延びる。更なる追加又は代替として、傾斜面３６は、ファスナーエレメント２０の先端部２２及び中間部２３に亘って形成される。換言すれば、傾斜面３６は、ファスナーエレメント２０の先端部２２に含まれる第１領域と中間部２３に含まれる第２領域を含む。図示例では、傾斜面３６は、先端部２２と中間部２３に亘って、前側から後側に向かう方向に下り傾斜する傾斜面である。スライダー４０の前進時、停止爪４５がファスナーエレメント２０を簡単に乗り越えることができ、又は、ファスナーエレメント２０が停止爪４５により傷つくのを防ぐことができる。
【００６５】
幾つかの場合、ファスナーエレメント２０は、スライダー４０の停止爪４５が係止可能である停止壁３３を有し、係合凸部２４が停止壁３３から（前方に）突出する。停止壁３３は、例えば、ファスナーエレメント２０の中間部２３の上面又は下面に凹部を設けることにより、或いは、（後述の）中間部２３の延在部２３ｊに係合凸部２４を凸設することにより形成される。スライダー４０の停止爪４５は、スライダー４０内の板バネといった弾性部材により下方に付勢されている。スライダー４０の停止爪４５は、スライダー４０の引手の操作に応じて上方に変位可能である。人がスライダー４０の引手を把持してスライダー４０を動かす時、スライダー４０の停止爪４５は、停止壁３３を乗り越えることができる。図１７及び図１８から分かるように、係合凸部２４は、凹状の収容部２６の上下幅よりも大きい上下長を有することができる。停止壁３３を設けるとしても係合凸部２４と被係合凹部２５のより十分な係合が促進される。
【００６６】
基部２１、先端部２２、及び中間部２３の区分は、図１５に示すとおりであるが、必ずしもこの限りではない。基部２１は、ファスナーテープ１５に固定された部分である。先端部２２は、ファスナーテープ１５から離間するように延びるファスナーエレメント２０において基部２１とは反対側に設けられる。中間部２３は、基部２１と先端部２２の間に設けられる。図１乃至図８に示した形態と同様、ファスナーエレメント２０は、先端部２２と基部２１の間で屈曲又は湾曲した部分を含む。図示例では、ファスナーエレメント２０は、第１及び第２棒部２７，２８を含む（図１５参照）。図示例では、図１５に示すように、中間部２３は、基部２１から先端部２２に向かって延びる延在部２３ｊを有する。係合凸部２４は、中間部２３の延在部２３ｊの前側面から前方に突出する。被係合凹部２５は、中間部２３の延在部２３ｊの後側面に設けられた凹部である。
【００６７】
中間部２３の延在部２３ｊの前側面は、第１凹部２９、停止壁３３、第２小突起３２を形状付けるように延びる。中間部２３の延在部２３ｊの後側面は、第２凹部３９、中間凸部３８、被係合凹部２５、第１小突起３１を形状付けるように延びる。なお、停止壁３３は、中間部２３の延在部２３ｊの前側面の一部である。なお、前側の変位規制部３０が中間部２３の延在部２３ｊの前側面に結合する。後側の変位規制部３０が中間部２３の延在部２３ｊの後側面に結合する。
【００６８】
図１乃至図８に示した形態と同様、係合凸部２４は、軸線ＣＬ上に位置する角部を含み、被係合凹部２５は、軸線ＣＬ上に位置し、角部２４ｃと相補的な形状を有する溝を含む。幾つかの場合、係合凸部２４は、前側に向かって左右幅が狭くなるように構成され、例えば、一対の傾斜面２４ａ，２４ｂによりＶ字状に画定される。一対の傾斜面２４ａ，２４ｂは、軸線ＣＬに沿って前方に延びるに応じて互いに接近する。一方の傾斜面２４ａは、基部２１から先端部２２に向かう方向に沿って延びるに応じて前方に傾斜する。他方の傾斜面２４ｂは、先端部２２から基部２１に向かう方向に沿って延びるに応じて前方に傾斜する。一対の傾斜面２４ａ，２４ｂの交点がＶ字状の係合凸部２４（角部）の頂点である。Ｖ字状の係合凸部２４の頂点は、軸線ＣＬ上に位置し得る。被係合凹部２５も同様、前側に向かって左右幅が狭くなるように構成され、例えば、一対の傾斜面２５ａ，２５ｂによりＶ字状に画定される。一対の傾斜面２５ａ，２５ｂは、軸線ＣＬに沿って前方に延びるに応じて互いに接近する。一方の傾斜面２５ａは、基部２１から先端部２２に向かう方向に沿って延びるに応じて前方に傾斜する。他方の傾斜面２５ｂは、先端部２２から基部２１に向かう方向に沿って延びるに応じて前方に傾斜する。一対の傾斜面２５ａ，２５ｂの交点がＶ字状の被係合凹部２５（溝）の底点である。Ｖ字状の被係合凹部２５の底点は、軸線ＣＬ上に位置し得る。
【００６９】
係合凸部２４の一対の傾斜面２４ａ，２４ｂは、軸線ＣＬに関して実質的に対称である。同様、被係合凹部２５の一対の傾斜面２５ａ，２５ｂは、軸線ＣＬに関して実質的に対称である。更には、傾斜面２４ａと傾斜面２５ａが少なくとも部分的に実質的に平行であり、傾斜面２４ｂと傾斜面２５ｂが少なくとも部分的に実質的に平行である。かかる点を踏まえれば、図１乃至図８に示した形態と同様、ファスナーエレメント２０が第１及び第２棒部２７，２８を含むことは明らかである。すなわち、図１５で点線により示された第１及び第２棒部２７，２８がファスナーエレメント２０に含まれる。第１棒部２７と第２棒部２８のなす角θは、１２０°＜θ＜１４０°である。
【００７０】
第２小突起３２は、第２棒部２８の前側面から前方に突出する。第２凹部３９は、第１棒部２７の後側面に形成される。第２小突起３２と第２凹部３９の係合により、横引きに対するスライドファスナー１００の耐性が高められる。
【００７１】
ここで、図２１を参照して、本開示に係るファスナーエレメントと従来のファスナーエレメントの相違点についても検討する。図２１は、（ａ）本開示に係るファスナーエレメント２０と、（ｂ）従来のファスナーエレメント２０’を示す。従来のファスナーエレメント２０は、基部２１’、頭部２２’及び首部２３’を有する。本開示に係るファスナーエレメント２０の係合凸部２４は、従来のファスナーエレメント２０の頭部２２’の前方に延びる突出部２４’を矢印で示すように基部２１’側に変位させた位置にあるものとも理解することができる。すなわち、本開示に係るファスナーエレメント２０において、第１小突起３１よりも係合凸部２４が左右方向において基部２１寄りにシフトして設けられ、第１凹部２９が被係合凹部２５よりも左右方向において基部２１寄りにシフトして設けられる。これにより、スライダー４０の移動に要する力を低減する場合においてもスライドファスナー１００の横引き強度の向上を促進することができる。
【００７２】
係合凸部２４は、ファスナーエレメント２０の先端部２２及び中間部２３において最も前側に突出した部分であり、前側頂点Ａを有する。第１小突起３１は、ファスナーエレメント２０の先端部２２及び中間部２３において最も後側に突出した部分であり、後側頂点Ｂを有する。更には、被係合凹部２５は、ファスナーエレメント２０の先端部２２及び中間部２３において最も前側に凹んだ部分であり、後側底点Ｃを有する。第１凹部２９は、ファスナーエレメント２０の先端部２２及び中間部２３において最も後側に凹んだ部分であり、前側底点Ｄを有する。軸線ＣＬに平行であり、頂点Ａを含む第１平面と、軸線ＣＬに平行であり、頂点Ｂを含む第２平面の間隔Ｗ１１は、軸線ＣＬに平行であり、底点Ｃを含む第３平面と、軸線ＣＬに平行であり、底点Ｄを含む第４平面の間隔Ｗ１２に等しい。同様に、第１平面と第４平面の間隔は、第２平面と第３平面の間隔に等しい。
【００７３】
左右のファスナーエレメント２０が結合する時、左右それぞれのファスナーエレメント２０の係合凸部２４と被係合凹部２５が同一軸線上に配置される。同様に、左右それぞれのファスナーエレメント２０の第１小突起３１と第１凹部２９が同一軸線上に配置される。これにより、図５〜８と同様、左右一方のファスナーエレメント２０が左右他方のファスナーエレメント２０の間に進入する時に生じ得る干渉を低減しつつも、その後の左右のファスナーエレメント２０の結合を強めることができる。
【００７４】
第２凹部３９の底点Ｆは、前後方向において被係合凹部２５の底点Ｃと第１小突起３１の頂点Ｂの間に位置する。中間凹部３４の底点Ｅは、前後方向において係合凸部２４の頂点Ａと第１凹部２９の底点Ｄの間に位置する。
【００７５】
なお、図２１から分かるように、図１乃至図８に示した形態と同様、第１凹部２９の底位置と係合凸部２４の頂点位置の前後方向の間隔Ｗ４は、被係合凹部２５の底位置と先端部２２（特には、第１小突起３１）の最も後方に位置する点の間隔Ｗ５に実質的に等しい。
【００７６】
図２２は、ファスナーエレメントの概略的な正面模式図である。図２２に示すように、スライダー４０の停止爪４５が係止可能である停止壁３３がファスナーエレメント２０の先端部２２の先端面２２ｍまで延びる。これにより、図１０に示した状態においても停止爪４５と停止壁３３の係合が確保でき、より狭ピッチでスライダー４０の停止位置を定めることができる。停止爪４５は、左右両方のファスナーエレメント２０の停止壁３３に接触することができる。スライダー４０の移動方向が鉛直方向に一致する時、スライダー４０を前進させて解放した後、スライダー４０の停止爪４５が左右いずれかのファスナーエレメント２０の停止壁３３に接触してスライダー４０の後進が阻止される。ファスナーエレメント２０は、被係合凹部２５から第１小突起３１に向けて延びるに応じて徐々に後方に向かう非平坦の湾曲面４６を有する。これによりスライドファスナー１００の横引き強度が高められる。
【００７７】
図２３乃至図２８を参照して更に説明する。図２３は、スライドファスナー１００の左右の結合したファスナーストリンガー１０を示す概略的及び部分的な正面模式図であり、ファスナーエレメント２０の基部２１が第１及び第２脚部５１，５２を有する。図２４は、図２３の二点鎖線Ｘ２４−Ｘ２４に沿う概略的な端面模式図である。図２５は、図２３の二点鎖線Ｘ２５−Ｘ２５に沿う概略的な端面模式図である。図２６は、ファスナーテープ１５に固着したファスナーエレメント２０の概略的な正面模式図である。図２７は、図２６の二点鎖線Ｘ２７−Ｘ２７に沿う概略的な端面模式図である。図２８は、図２６の二点鎖線Ｘ２８−Ｘ２８に沿う概略的な端面模式図である。
【００７８】
本実施形態においては、基部２１は、一対のファスナーストリンガー１０の横引き時、係合凸部２４と被係合凹部２５の係合に応じて生じる回転モーメントを低減する反対向きの回転モーメントが生じるように構成される。図２３において符号２０Ｆ，２０Ｇ，２０Ｈで示すファスナーエレメント２０について述べれば、一対のファスナーストリンガー１０の横引き時、ファスナーエレメント２０Ｇの先端部２２からファスナーエレメント２０Ｆの係合凸部２４が力Ｆ１を受ける位置Ｐ１とファスナーエレメント２０Ｈの係合凸部２４からファスナーエレメント２０Ｆの先端部２２が力Ｆ２を受ける位置Ｐ２が左右方向において異なる。結果として、ファスナーエレメント２０Ｆが時計回りに回転する回転モーメントが生じる。この回転モーメントを低減する反対向きの回転モーメントが生じるように基部２１が構成される。
【００７９】
一対のファスナーストリンガー１０の横引き時、右側のファスナーストリンガー１０が左側のファスナーストリンガー１０から離れるように引かれ、左側のファスナーストリンガー１０が右側のファスナーストリンガー１０から離れるように引かれる。結合状態の各ファスナーエレメント２０は、それ自体が結合したファスナーテープ１５の芯紐１７から左右方向外側に向けて押される。ファスナーテープ１５の芯紐１７まで到達する少なくとも１つの切り欠き部５３が基部２１に設けられる場合、芯紐１７の延びる方向に沿ってファスナーエレメント２０の基部２１に対して芯紐１７が与える力の分布に変化を付けることができる。切り欠き部５３が適切に位置付けられ、一対のファスナーストリンガー１０の横引き時、ファスナーエレメント２０Ｆが反時計回りに回転する反対向きの回転モーメントが生じる。幾つかの場合、少なくとも基部２１の基端面２１ｍ側に位置する芯紐１７の部分１７ｅが、切り欠き部５３を介して露出する。
【００８０】
切り欠き部５３は、芯紐１７に到達するまで基部２１の基端面２１ｍから先端部２２に向かって延び、ファスナーテープ１５の上面を露出させる。結果として、基部２１は、被係合凹部２５側（つまり、後側）に設けられた第１脚部５１と係合凸部２４側（つまり、前側）に設けられた第２脚部５２を有する。第１脚部５１と第２脚部５２は、切り欠き部５３を挟むように設けられる。第１脚部５１とファスナーテープ１５の接触面積は、第２脚部５２とファスナーテープ１５の接触面積よりも大きい。芯紐１７の延在方向に沿う第１脚部５１の幅Ｗ５１は、第２脚部５２の幅Ｗ５２よりも大きい。幾つかの場合、次の条件が満足され、回転モーメントの大きさが適切に設定される。
１．２＜（Ｗ５１／Ｗ５２）＜３
【００８１】
図２３乃至図２８に示す形態においても、ファスナーエレメント２０は、第１小突起３１、第２小突起３２、停止壁３３、傾斜面３６、第１凹部２９、及び第２凹部３９といった個別の特徴を有するが、選択される１以上の特徴が省略される形態も想定される。
【００８２】
図２９及び図３０に示す形態では、第１脚部５１は、第１脚部５１の幅が減じられて見える態様で第２脚部５２側の領域において部分的に薄肉化される。換言すれば、第１脚部５１は、第２脚部５２側に設けられた凹部（或いは段差部）５４を有し、第１脚部５１の幅Ｗ５１が幅５１’まで減じられて見える。これにより第１脚部５１と第２脚部５２が同一又は近い幅で延びるように見える。一対のファスナーストリンガー１０が左右方向において反対側に引かれる時、ファスナーエレメント２０が回転する回転方向とは反対向きの回転モーメントが生じるように、例えば、第２脚部５２側に切り欠き部５３を設けることに伴って、基部２１の外観が非対称に見えてしまうことが回避される。なお、凹部５４の段差面５５は、水平面に限らず、傾斜面であっても良い。図３１に示すように、切り欠き部５３は、第１脚部５１のみが残存する態様で設けられ得る。図３２に示すように、切り欠き部５３の追加又は代替として孔５３が基部２１の前側寄りの位置に設けられ得る。このような場合においても上述と同一の原理に基づいて上述と同様の結果が得られものと予期される。切り欠き部５３及び孔５３は、ファスナーエレメント２０のファスナーテープ１５に関して上側及び下側の一方側のみに設けられる形態も想定される。
【００８３】
図３３乃至図３８に示す形態においては、ファスナーエレメント２０は、ファスナーテープ１５の上面側の上半分６１とファスナーテープ１５の下面側の下半分６２において異なるように構成され、端的には、異なる形状を有する。言わば、ファスナーエレメント２０は、ファスナーテープ１５が存在する平面に関して非対称に構成され、端的には、非対称な形状を有する。必ずしもこの限りではないが、ファスナーエレメント２０の上半分６１が、四角形状の輪郭を有し、ファスナーエレメント２０のデザイン機能を担う（図３３参照）。他方、ファスナーエレメント２０の下半分６２が、上述と同様、基部２１、先端部２２、及び中間部２３を有し、ファスナーエレメント２０の結合機能を担う。このような場合においても、矛盾しない限り、上述と同一の効果が得られる。
【００８４】
ファスナーエレメント２０の上半分６１は、左右のファスナーテープ１５の間の隙間を被覆する被覆部６３を有する。被覆部６３は、ファスナーテープ１５からファスナーテープ外方に突出する。左右のファスナーストリンガー１０が閉じられる時、左右方向で隣接するファスナーエレメント２０の上半分６１同士が接触及び係合する。被覆部６３は、１以上又は一対の変位規制部３０を含むことができる。あるファスナーエレメント２０に関して、ファスナーエレメント２０の下半分６２の中間部２３は、ファスナーエレメント２０の上半分６１の被覆部６３に結合する。中間部２３の係合凸部２４も上半分６１の被覆部６３に結合する。下半分６２の中間部２３の延在部２３ｊは、上半分６１の被覆部６３よりも基部２１からより遠くまで延びる。下半分６２の先端部２２は、上半分６１の被覆部６３よりも基部２１からより遠くに位置付けられる。結合状態の２つのファスナーエレメント２０に関して、あるファスナーエレメント２０の中間部２３と先端部２２の上面３５上に他方のファスナーエレメント２０の変位規制部３０が載置される。
【００８５】
図１０乃至図３８に示した形態に係るスライドファスナー１００においては、図１０に示したスライダー４０の追加又は代替として、図１０に示したスライダー４０とは反対方向（つまり、スライダー４０の進行方向に関する後方）に進んで左右のファスナーストリンガー１０を開閉することができる追加又は代替のスライダー４０を含むことができる。
【００８６】
本開示には次の発明も記載されている。以下の付記に記載の各発明に対して、本開示に係る個別の特徴又は個別の特徴の組み合わせを適用することができる。
−付記１−
一対のファスナーストリンガー（１０）にして、各ファスナーストリンガー（１０）が、ファスナーテープ（１５）と、前記ファスナーテープ（１５）に取り付けられた複数のファスナーエレメント（２０）を備え、各ファスナーエレメント（２０）が、前記ファスナーテープ（１５）に固定された基部（２１）と、前記基部（２１）の反対側に位置する先端部（２２）を有する、一対のファスナーストリンガー（１０）と、
前記一対のファスナーストリンガー（１０）を開閉するための少なくとも一つのスライダー（４０）にして、上翼板（４１）と、下翼板（４２）と、前記上翼板（４１）と下翼板（４２）を連結し、前記ファスナーエレメント（２０）の先端部（２２）が対面又は接触する連結柱（４３）と、前記上翼板（４１）及び下翼板（４２）の少なくとも一方に設けられ、前記ファスナーエレメント（２０）の基部（２１）が対面又は接触するフランジ部（４４）を備える、スライダー（４０）を備えるスライドファスナー（１００）であって、
前記ファスナーエレメント（２０）は、前記先端部（２２）と前記基部（２１）の間で屈曲又は湾曲した部分を含む中間部（２３）を有し、
前記中間部（２３）は、前記スライダー（４０）の移動方向に合致する軸線（ＣＬ）上で突出した係合凸部（２４）と凹んだ被係合凹部（２５）を有し、
前記基部（２１）は、前記一対のファスナーストリンガー（１０）の横引き時、前記係合凸部（２４）と前記被係合凹部（２５）の係合に応じて生じる回転モーメントを低減する反対向きの回転モーメントが生じるように構成される、スライドファスナー。
【００８７】
−付記２−
左右一対のファスナーストリンガー（１０）にして、各ファスナーストリンガー（１０）が、ファスナーテープ（１５）と、ファスナーテープ（１５）に取り付けられた複数のファスナーエレメント（２０）を備え、各ファスナーエレメント（２０）が、ファスナーテープ（１５）に固定された基部（２１）と、基部（２１）の反対側に位置する先端部（２２）を有する、左右一対のファスナーストリンガー（１０）と、
左右一対のファスナーストリンガー（１０）を開けるために前進し、また左右一対のファスナーストリンガー（１０）を閉じるために後進する少なくとも一つのスライダー（４０）を備えるスライドファスナー（１００）であって、
左側及び右側それぞれのファスナーエレメント（２０）は、ファスナーエレメント（２０）の前側に係合凸部（２４）と、ファスナーエレメント（２０）の後側に被係合凹部（２５）を有するように屈曲又は湾曲し、
左側及び右側の一方側のファスナーエレメント（２０）の係合凸部（２４）と基部（２１）の間には、左側及び右側の他方側のファスナーエレメント（２０）に設けられた後方に突出した第１小突起（３１）を受け入れるための第１凹部（２９）が設けられ、
左側及び右側それぞれのファスナーエレメント（２０）において、第１小突起（３１）よりも係合凸部（２４）が左右方向において基部（２１）寄りにシフトして設けられ、第１凹部（２９）が被係合凹部（２５）よりも左右方向において基部（２１）寄りにシフトして設けられる、スライドファスナー。
【００８８】
−付記３−
左右一対のファスナーストリンガー（１０）にして、各ファスナーストリンガー（１０）が、ファスナーテープ（１５）と、ファスナーテープ（１５）に取り付けられた複数のファスナーエレメント（２０）を備え、各ファスナーエレメント（２０）が、ファスナーテープ（１５）に固定された基部（２１）と、基部（２１）の反対側に位置する先端部（２２）を有する、左右一対のファスナーストリンガー（１０）と、
左右一対のファスナーストリンガー（１０）を開閉するための少なくとも一つのスライダー（４０）を備えるスライドファスナー（１００）であって、
左側及び右側それぞれのファスナーエレメント（２０）は、先端部（２２）と基部（２１）の間で屈曲又は湾曲した部分を含む中間部（２３）を有し、中間部（２３）は、スライダー（４０）の移動方向に合致する軸線（ＣＬ）上で突出した係合凸部（２４）と凹んだ被係合凹部（２５）を有し、
左側及び右側の一方側のファスナーエレメント（２０）は、左側及び右側の他方側のファスナーエレメント（２０）の上下方向に沿う変位を阻止する少なくとも１つの変位規制部（３０）を有する、スライドファスナー。
【００８９】
上述の教示を踏まえると、当業者をすれば、各実施形態に対して様々な変更を加えることができる。請求の範囲に盛り込まれた符号は、参考のためであり、請求の範囲を限定解釈する目的で参照されるべきものではない。
【符号の説明】
【００９０】
１００            スライドファスナー
１０            ファスナーストリンガー
１５            ファスナーテープ
１６            側縁部
１７            芯紐
２０            ファスナーエレメント
２１            基部
２１ｍ            基端面
２２            先端部
２２ｍ            先端面
２３            中間部
２４            係合凸部
２５            被係合凹部
４０            スライダー
４１            上翼板
４２            下翼板
４３            連結柱
４４            フランジ部
Ｌ１            第１距離
Ｌ２            第２距離
ＣＬ            軸線
【図１】
2018212304.tif 000003
【図２】
2018212304.tif 000004
【図３】
2018212304.tif 000005
【図４】
2018212304.tif 000006
【図５】
2018212304.tif 000007
【図６】
2018212304.tif 000008
【図７】
2018212304.tif 000009
【図８】
2018212304.tif 000010
【図９】
2018212304.tif 000011
【図１０】
2018212304.tif 000012
【図１１】
2018212304.tif 000013
【図１２】
2018212304.tif 000014
【図１３】
2018212304.tif 000015
【図１４】
2018212304.tif 000016
【図１５】
2018212304.tif 000017
【図１６】
2018212304.tif 000018
【図１７】
2018212304.tif 000019
【図１８】
2018212304.tif 000020
【図１９】
2018212304.tif 000021
【図２０】
2018212304.tif 000022
【図２１】
2018212304.tif 000023
【図２２】
2018212304.tif 000024
【図２３】
2018212304.tif 000025
【図２４】
2018212304.tif 000026
【図２５】
2018212304.tif 000027
【図２６】
2018212304.tif 000028
【図２７】
2018212304.tif 000029
【図２８】
2018212304.tif 000030
【図２９】
2018212304.tif 000031
【図３０】
2018212304.tif 000032
【図３１】
2018212304.tif 000033
【図３２】
2018212304.tif 000034
【図３３】
2018212304.tif 000035
【図３４】
2018212304.tif 000036
【図３５】
2018212304.tif 000037
【図３６】
2018212304.tif 000038
【図３７】
2018212304.tif 000039
【図３８】
2018212304.tif 000040
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
一対のファスナーストリンガー（１０）にして、各ファスナーストリンガー（１０）が、ファスナーテープ（１５）と、前記ファスナーテープ（１５）に取り付けられた複数のファスナーエレメント（２０）を備え、各ファスナーエレメント（２０）が、前記ファスナーテープ（１５）に固定された基部（２１）と、前記基部（２１）の反対側に位置する先端部（２２）を有する、一対のファスナーストリンガー（１０）と、
前記一対のファスナーストリンガー（１０）を開閉するための少なくとも一つのスライダー（４０）にして、上翼板（４１）と、下翼板（４２）と、前記上翼板（４１）と下翼板（４２）を連結し、前記ファスナーエレメント（２０）の先端部（２２）の先端面（２２ｍ）が対面又は接触する連結柱（４３）と、前記上翼板（４１）及び下翼板（４２）の少なくとも一方に設けられ、前記ファスナーエレメント（２０）の基部（２１）の基端面（２１ｍ）が対面又は接触するフランジ部（４４）を備える、スライダー（４０）を備えるスライドファスナー（１００）であって、
前記ファスナーエレメント（２０）は、前記先端部（２２）と前記基部（２１）の間で屈曲又は湾曲した部分を含む中間部（２３）を有し、
前記中間部（２３）は、前記スライダー（４０）の移動方向に合致する軸線（ＣＬ）上で突出した係合凸部（２４）と凹んだ被係合凹部（２５）を有し、
前記軸線（ＣＬ）に直交する直交方向において前記軸線（ＣＬ）から前記先端部（２２）の先端面（２２ｍ）までの第１距離（Ｌ１）が、前記軸線（ＣＬ）から前記基部（２１）の基端面（２１ｍ）までの第２距離（Ｌ２）未満であり、
前記一対のファスナーストリンガー（１０）の一方のファスナーストリンガー（１０）は、前記一対のファスナーストリンガー（１０）の他方のファスナーストリンガー（１０）において隣接配置された２つのファスナーエレメント（２０）それぞれが具備する変位規制部（３０）に係合するように構成されたファスナーエレメント（２０）を含む、スライドファスナー。
【請求項２】
前記係合凸部（２４）は、前記軸線（ＣＬ）上に位置する角部を含み、前記被係合凹部（２５）は、前記軸線（ＣＬ）上に位置し、前記角部と相補的な形状を有する溝を含む、請求項１に記載のスライドファスナー。
【請求項３】
前記変位規制部（３０）は、前記ファスナーエレメント（２０）の上下方向に沿う変位を阻止するように構成される、請求項１又は２に記載のスライドファスナー。
【請求項４】
前記変位規制部（３０）は、前記係合凸部（２４）と前記基部（２１）の間の空間を少なくとも部分的に埋める態様で設けられる、請求項３に記載のスライドファスナー。
【請求項５】
前記ファスナーエレメント（２０）の先端部（２２）には、前記被係合凹部（２５）が凹む方向とは反対方向に突出した第１小突起（３１）が設けられる、請求項１乃至４のいずれか一項に記載のスライドファスナー。
【請求項６】
前記ファスナーエレメント（２０）の先端部（２２）には、前記係合凸部（２４）と同じ方向に前記係合凸部（２４）よりも小さい突出量で突出した第２小突起（３２）が設けられる、請求項１乃至５のいずれか一項に記載のスライドファスナー。
【請求項７】
前記ファスナーエレメント（２０）は、前記スライダー（４０）の停止爪（４５）が係止可能である停止壁（３３）を有し、前記係合凸部（２４）が前記停止壁（３３）から突出する、請求項１乃至６のいずれか一項に記載のスライドファスナー。
【請求項８】
前記基部（２１）は、前記一対のファスナーストリンガー（１０）の横引き時、前記係合凸部（２４）と前記被係合凹部（２５）の係合に応じて生じる回転モーメントを低減する反対向きの回転モーメントが生じるように構成される、請求項１乃至７のいずれか一項に記載のスライドファスナー。
【請求項９】
前記基部（２１）は、前記ファスナーテープ（１５）の芯紐（１７）まで到達する少なくとも１つの切り欠き部又は孔（５３）を有する、請求項８に記載のスライドファスナー。
【請求項１０】
前記基部（２１）は、前記被係合凹部（２５）側に設けられた第１脚部（５１）と前記係合凸部（２４）側に設けられた第２脚部（５２）を有し、前記第１脚部（５１）と前記ファスナーテープ（１５）の接触面積は、前記第２脚部（５２）と前記ファスナーテープ（１５）の接触面積よりも大きい、請求項８又は９に記載のスライドファスナー。
【請求項１１】
前記ファスナーエレメント（２０）の先端部（２２）は、前記軸線（ＣＬ）に沿って後方に向けて幅狭になるテーパー部（３７）を有する、請求項１乃至１０のいずれか一項に記載のスライドファスナー。
【請求項１２】
一対のファスナーストリンガー（１０）にして、各ファスナーストリンガー（１０）が、ファスナーテープ（１５）と、前記ファスナーテープ（１５）に取り付けられた複数のファスナーエレメント（２０）を備え、各ファスナーエレメント（２０）が、前記ファスナーテープ（１５）に固定された基部（２１）と、前記基部（２１）の反対側に位置する先端部（２２）を有する、一対のファスナーストリンガー（１０）と、
前記一対のファスナーストリンガー（１０）を開閉するための少なくとも一つのスライダー（４０）にして、上翼板（４１）と、下翼板（４２）と、前記上翼板（４１）と下翼板（４２）を連結し、前記ファスナーエレメント（２０）の先端部（２２）の先端面（２２ｍ）が対面又は接触する連結柱（４３）と、前記上翼板（４１）及び下翼板（４２）の少なくとも一方に設けられ、前記ファスナーエレメント（２０）の基部（２１）の基端面（２１ｍ）が対面又は接触するフランジ部（４４）を備える、スライダー（４０）を備えるスライドファスナー（１００）であって、
前記ファスナーエレメント（２０）は、前記先端部（２２）と前記基部（２１）の間で屈曲又は湾曲した部分を含む中間部（２３）を有し、
前記中間部（２３）は、前記スライダー（４０）の移動方向に合致する軸線（ＣＬ）上で突出した係合凸部（２４）と凹んだ被係合凹部（２５）を有し、
前記軸線（ＣＬ）に直交する直交方向において前記軸線（ＣＬ）から前記先端部（２２）の先端面（２２ｍ）までの第１距離（Ｌ１）が、前記軸線（ＣＬ）から前記基部（２１）の基端面（２１ｍ）までの第２距離（Ｌ２）未満であり、
前記ファスナーエレメント（２０）は、前記係合凸部（２４）と前記基部（２１）の間で凹んだ第１凹部（２９）を有する、スライドファスナー。
【請求項１３】
前記ファスナーエレメント（２０）は、前記被係合凹部（２５）と前記基部（２１）の間で凹んだ第２凹部（３９）を有する、請求項１乃至１２のいずれか一項に記載のスライドファスナー。
【請求項１４】
前記第１距離（Ｌ１）をＰとし、前記第２距離（Ｌ２）をＱとする時、
０．３９＜Ｐ／Ｑ＜０．７４を満足する、請求項１乃至１３のいずれか一項に記載のスライドファスナー。
【請求項１５】
前記一対のファスナーストリンガー（１０）において結合した一方のファスナーエレメント（２０）の基部（２１）の基端面（２１ｍ）と他方のファスナーエレメント（２０）の基部（２１）の基端面（２１ｍ）の前記直交方向における間隔（Ｗ１０）をＴとする時、０．３０＜２Ｐ／Ｔ＜０．７０を満足する、請求項１４に記載のスライドファスナー。
【請求項１６】
前記係合凸部（２４）の突出の程度と、前記被係合凹部（２５）の凹みの程度は相補的である、請求項１乃至１５のいずれか一項に記載のスライドファスナー。
【請求項１７】
前記ファスナーエレメント（２０）は、前記被係合凹部（２５）と反対側であり、前記係合凸部（２４）と同じ側において凹んだ第１凹部（２９）を有する、請求項１乃至１１のいずれか一項に記載のスライドファスナー。
【請求項１８】
前記ファスナーエレメント（２０）は、第１及び第２棒部（２７，２８）を含み、
前記第１棒部（２７）と前記第２棒部（２８）のなす角θが、
１２０°＜θ＜１４０°
を満足する、請求項１乃至１７のいずれか一項に記載のスライドファスナー。
【請求項１９】
前記係合凸部（２４）の頂点は、前記基部（２１）の最大幅（Ｗ１）の範囲外に位置し、
前記被係合凹部（２５）の底点は、前記基部（２１）の最大幅（Ｗ１）の範囲内に位置する、請求項１に記載のスライドファスナー。
【請求項２０】
前記先端部（２２）の少なくとも一部は、前記基部（２１）の最大幅（Ｗ１）の範囲内に位置する、請求項１に記載のスライドファスナー。
【請求項２１】
一対のファスナーストリンガー（１０）にして、各ファスナーストリンガー（１０）が、ファスナーテープ（１５）と、前記ファスナーテープ（１５）に取り付けられた複数のファスナーエレメント（２０）を備え、各ファスナーエレメント（２０）が、前記ファスナーテープ（１５）に固定された基部（２１）と、前記基部（２１）の反対側に位置する先端部（２２）を有する、一対のファスナーストリンガー（１０）と、
前記一対のファスナーストリンガー（１０）を開閉するための少なくとも一つのスライダー（４０）にして、上翼板（４１）と、下翼板（４２）と、前記上翼板（４１）と下翼板（４２）を連結し、前記ファスナーエレメント（２０）の先端部（２２）の先端面（２２ｍ）が対面又は接触する連結柱（４３）と、前記上翼板（４１）及び下翼板（４２）の少なくとも一方に設けられ、前記ファスナーエレメント（２０）の基部（２１）の基端面（２１ｍ）が対面又は接触するフランジ部（４４）を備える、スライダー（４０）を備えるスライドファスナー（１００）であって、
前記ファスナーエレメント（２０）は、前記先端部（２２）と前記基部（２１）の間で屈曲又は湾曲した部分を含む中間部（２３）を有し、
前記中間部（２３）は、前記スライダー（４０）の移動方向に合致する軸線（ＣＬ）上で突出した係合凸部（２４）と凹んだ被係合凹部（２５）を有し、
前記軸線（ＣＬ）に直交する直交方向において前記軸線（ＣＬ）から前記先端部（２２）の先端面（２２ｍ）までの第１距離（Ｌ１）が、前記軸線（ＣＬ）から前記基部（２１）の基端面（２１ｍ）までの第２距離（Ｌ２）未満であり、
前記一対のファスナーストリンガー（１０）の一方のファスナーストリンガー（１０）は、前記一対のファスナーストリンガー（１０）の他方のファスナーストリンガー（１０）のファスナーテープ（１５）が収容される凹状の収容部（２６）が設けられたファスナーエレメント（２０）を含む、スライドファスナー。
【請求項２２】
前記軸線（ＣＬ）に平行な方向において、前記基部（２１）の最大幅（Ｗ１）が、前記先端部（２２）の最小幅（Ｗ２）よりも大きい、請求項２１に記載のスライドファスナー。
【請求項２３】
前記軸線（ＣＬ）に平行な方向において、前記基部（２１）の最大幅（Ｗ１）をＲとし、同一のファスナーテープ（１５）上で隣接する前記ファスナーエレメント（２０）の基部（２１）の最小間隔（Ｗ３）をＳとする時、
０．６２＜Ｒ／（Ｒ＋Ｓ）＜０．８３
を満足する、請求項２１に記載のスライドファスナー。
【請求項２４】
前記軸線（ＣＬ）に沿う前記スライダー（４０）の移動方向を前後方向とし、前記スライダー（４０）の前進により前記一対のファスナーストリンガー（１０）が閉じられ、前記スライダー（４０）の後進により前記一対のファスナーストリンガー（１０）が開けられる、請求項１乃至２３のいずれか一項に記載のスライドファスナーであって、
前記ファスナーエレメント（２０）は、前記被係合凹部（２５）と反対側であり、前記係合凸部（２４）と同じ側において凹んだ第１凹部（２９）を有し、
前記前後方向において、前記係合凸部（２４）の頂点位置（Ａ）と前記第１凹部（２９）の底位置（Ｄ）の間隔（Ｗ４）が、前記先端部（２２）の最も後方に位置する点（Ｂ）と前記被係合凹部（２５）の底位置（Ｃ）の間隔（Ｗ５）に実質的に等しい、スライドファスナー。
【請求項２５】
左右一対のファスナーストリンガー（１０）にして、各ファスナーストリンガー（１０）が、ファスナーテープ（１５）と、ファスナーテープ（１５）に取り付けられた複数のファスナーエレメント（２０）を備え、各ファスナーエレメント（２０）が、ファスナーテープ（１５）に固定された基部（２１）と、基部（２１）の反対側に位置する先端部（２２）を有する、左右一対のファスナーストリンガー（１０）と、
左右一対のファスナーストリンガー（１０）を開けるために前進し、また左右一対のファスナーストリンガー（１０）を閉じるために後進する少なくとも一つのスライダー（４０）を備えるスライドファスナー（１００）であって、
左側及び右側それぞれのファスナーエレメント（２０）は、ファスナーエレメント（２０）の前側に係合凸部（２４）と、ファスナーエレメント（２０）の後側に被係合凹部（２５）を有するように屈曲又は湾曲し、
左右一方側のファスナーエレメント（２０）の係合凸部（２４）と基部（２１）の間には、左右他方側のファスナーエレメント（２０）に設けられた後方に突出した第１小突起（３１）を受け入れるための第１凹部（２９）が設けられ、
左側及び右側それぞれのファスナーエレメント（２０）において、第１小突起（３１）よりも係合凸部（２４）が左右方向において基部（２１）寄りにシフトして設けられ、第１凹部（２９）が被係合凹部（２５）よりも左右方向において基部（２１）寄りにシフトして設けられる、スライドファスナー。
【請求項２６】
ファスナーエレメント（２０）は、先端部（２２）と基部（２１）の間で屈曲又は湾曲した部分を含む中間部（２３）を有し、この中間部（２３）に前述の係合凸部（２４）と被係合凹部（２５）が設けられる、請求項２５に記載のスライドファスナー。
【請求項２７】
左側及び右側のファスナーエレメント（２０）が結合する時、左側及び右側それぞれのファスナーエレメント（２０）の係合凸部（２４）と被係合凹部（２５）が同一軸線（ＣＬ）上に配置され、左側及び右側それぞれのファスナーエレメント（２０）の第１小突起（３１）と第１凹部（２９）が同一軸線（ＡＸ，Ｘ１２）上に配置される、請求項２５又は２６に記載のスライドファスナー。
【請求項２８】
第１小突起（３１）は、ファスナーエレメント（２０）の先端部（２２）に設けられる、請求項２５乃至２７のいずれか一項に記載のスライドファスナー。
【請求項２９】
係合凸部（２４）は、軸線（ＣＬ）上に位置する角部を含み、被係合凹部（２５）は、軸線（ＣＬ）上に位置し、角部と相補的な形状を有する溝を含む、請求項２５乃至２８のいずれか一項に記載のスライドファスナー。
【請求項３０】
左右一方側のファスナーエレメント（２０）は、左右他方側のファスナーエレメント（２０）の上下方向に沿う変位を阻止する少なくとも１つの変位規制部（３０）を有する、請求項２５乃至２９のいずれか一項に記載のスライドファスナー。
【請求項３１】
ファスナーエレメント（２０）の先端部（２２）には、係合凸部（２４）と同じ方向に係合凸部（２４）よりも小さい突出量で突出した第２小突起（３２）が設けられる、請求項２５乃至３０のいずれか一項に記載のスライドファスナー。
【請求項３２】
ファスナーエレメント（２０）は、スライダー（４０）の停止爪（４５）が係止可能である停止壁（３３）を有し、係合凸部（２４）が停止壁（３３）から突出する、請求項２５乃至３１のいずれか一項に記載のスライドファスナー。
【請求項３３】
基部（２１）は、左右一対のファスナーストリンガー（１０）が左右方向において反対側に引かれる時、係合凸部（２４）と被係合凹部（２５）の係合に応じて生じる回転モーメントを低減する反対向きの回転モーメントが生じるように構成される、請求項２５乃至３２のいずれか一項に記載のスライドファスナー。
【請求項３４】
基部（２１）は、ファスナーテープ（１５）の芯紐（１７）まで到達する少なくとも１つの切り欠き部又は孔（５３）を有する、請求項３３に記載のスライドファスナー。
【請求項３５】
基部（２１）は、被係合凹部（２５）側に設けられた第１脚部（５１）と係合凸部（２４）側に設けられた第２脚部（５２）を有し、第１脚部（５１）とファスナーテープ（１５）の接触面積は、第２脚部（５２）とファスナーテープ（１５）の接触面積よりも大きい、請求項３３又は３４に記載のスライドファスナー。
【請求項３６】
軸線（ＣＬ）に直交する直交方向において軸線（ＣＬ）から先端部（２２）の先端面（２２ｍ）までの第１距離（Ｌ１）が、軸線（ＣＬ）から基部（２１）の基端面（２１ｍ）までの第２距離（Ｌ２）未満であり、
第１距離（Ｌ１）をＰとし、第２距離（Ｌ２）をＱとする時、０．３９＜Ｐ／Ｑ＜０．７４を満足する、請求項２５乃至３５のいずれか一項に記載のスライドファスナー。
【請求項３７】
左右一対のファスナーストリンガー（１０）において結合した左右一方のファスナーエレメント（２０）の基部（２１）の基端面（２１ｍ）と左右他方のファスナーエレメント（２０）の基部（２１）の基端面（２１ｍ）の直交方向における間隔（Ｗ１０）をＴとする時、０．３０＜２Ｐ／Ｔ＜０．７０を満足する、請求項３６に記載のスライドファスナー。
【請求項３８】
係合凸部（２４）の突出の程度と、被係合凹部（２５）の凹みの程度は相補的である、請求項２５乃至３７のいずれか一項に記載のスライドファスナー。
【請求項３９】
ファスナーエレメント（２０）は、第１及び第２棒部（２７，２８）を含み、
第１棒部（２７）と第２棒部（２８）のなす角θが、
１２０°＜θ＜１４０°
を満足する、請求項２５乃至３８のいずれか一項に記載のスライドファスナー。
【請求項４０】
前後方向において、係合凸部（２４）の頂点位置（Ａ）と第１凹部（２９）の底位置（Ｄ）の間隔（Ｗ４）が、先端部（２２）の最も後方に位置する点（Ｂ）と被係合凹部（２５）の底位置（Ｃ）の間隔（Ｗ５）に実質的に等しい、請求項２５乃至３９のいずれか一項に記載のスライドファスナー。
【請求項４１】
左右一対のファスナーストリンガー（１０）にして、各ファスナーストリンガー（１０）が、ファスナーテープ（１５）と、ファスナーテープ（１５）に取り付けられた複数のファスナーエレメント（２０）を備え、各ファスナーエレメント（２０）が、ファスナーテープ（１５）に固定された基部（２１）と、基部（２１）の反対側に位置する先端部（２２）を有する、左右一対のファスナーストリンガー（１０）と、
左右一対のファスナーストリンガー（１０）を開閉するための少なくとも一つのスライダー（４０）を備えるスライドファスナー（１００）であって、
左側及び右側それぞれのファスナーエレメント（２０）は、先端部（２２）と基部（２１）の間で屈曲又は湾曲した部分を含む中間部（２３）を有し、中間部（２３）は、スライダー（４０）の移動方向に合致する軸線（ＣＬ）上で突出した係合凸部（２４）と凹んだ被係合凹部（２５）を有し、
左側及び右側の一方側のファスナーエレメント（２０）は、左側及び右側の他方側のファスナーエレメント（２０）の上下方向に沿う変位を阻止する少なくとも１つの変位規制部（３０）を有する、スライドファスナー。
【請求項４２】
係合凸部（２４）は、軸線（ＣＬ）上に位置する角部を含み、被係合凹部（２５）は、軸線（ＣＬ）上に位置し、角部と相補的な形状を有する溝を含む、請求項４１に記載のスライドファスナー。
【請求項４３】
ファスナーエレメント（２０）の先端部（２２）には、係合凸部（２４）と同じ方向に係合凸部（２４）よりも小さい突出量で突出した第２小突起（３２）が設けられる、請求項４１又は４２に記載のスライドファスナー。
【請求項４４】
ファスナーエレメント（２０）は、スライダー（４０）の停止爪（４５）が係止可能である停止壁（３３）を有し、係合凸部（２４）が停止壁（３３）から突出する、請求項４１乃至４３のいずれか一項に記載のスライドファスナー。
【請求項４５】
基部（２１）は、左右一対のファスナーストリンガー（１０）が左右方向において反対側に引かれる時、係合凸部（２４）と被係合凹部（２５）の係合に応じて生じる回転モーメントを低減する反対向きの回転モーメントが生じるように構成される、請求項４１乃至４４のいずれか一項に記載のスライドファスナー。
【請求項４６】
基部（２１）は、ファスナーテープ（１５）の芯紐（１７）まで到達する少なくとも１つの切り欠き部又は孔（５３）を有する、請求項４５に記載のスライドファスナー。
【請求項４７】
基部（２１）は、被係合凹部（２５）側に設けられた第１脚部（５１）と係合凸部（２４）側に設けられた第２脚部（５２）を有し、第１脚部（５１）とファスナーテープ（１５）の接触面積は、第２脚部（５２）とファスナーテープ（１５）の接触面積よりも大きい、請求項４５又は４６に記載のスライドファスナー。
【国際調査報告】
2018212304.tif 000041
2018212304.tif 000042
2018212304.tif 000043
2018212304.tif 000044